(57)【要約】  本願は、通信方法および通信装置を開示する。この方法では、ネットワークデバイスが第１情報を端末に送信し、第１情報は、第１探索空間、第２探索空間、第１監視パラメータ、および第２監視パラメータを示すために使用され、第１監視パラメータは、第１探索空間でＰＤＣＣＨを監視するための監視パラメータであり、第２監視パラメータは、第２探索空間でＰＤＣＣＨを監視するための監視パラメータであり、第１探索空間は第２探索空間とは異なるか、または、第１探索空間は第２探索空間と同じであるが、第１監視パラメータは第２監視パラメータとは異なる。第１情報を送信した後、ネットワークデバイスは、第１監視パラメータに基づいて第１探索空間でＰＤＣＣＨを送信し、端末は、第１監視パラメータに基づいて第１探索空間でＰＤＣＣＨを監視する、または、ネットワークデバイスは、第２監視パラメータに基づいて第２探索空間でＰＤＣＣＨを送信し、端末は、第２監視パラメータに基づいて第２探索空間でＰＤＣＣＨを監視する。
2021533641.tif 000002
【特許請求の範囲】
【請求項１】
通信方法であって、
ネットワークデバイスにより送信される第１情報を受信する段階であって、前記第１情報は、第１グループの探索空間および第２グループの探索空間を示すために使用される、段階と、
前記ネットワークデバイスにより送信される第２情報を受信する段階であって、前記第２情報は、指示情報を含み、前記指示情報は、前記第１グループの探索空間または前記第２グループの探索空間を示すために使用される、段階と、
前記受信される指示情報が前記第１グループの探索空間を示すとき、前記第１グループの探索空間における物理ダウンリンク制御チャネルＰＤＣＣＨの監視を開始し、前記第２グループの探索空間におけるＰＤＣＣＨの監視を停止する段階と、
前記受信される指示情報が前記第２グループの探索空間を示すとき、前記第２グループの探索空間でＰＤＣＣＨを監視し、前記第１グループの探索空間におけるＰＤＣＣＨの監視を停止する段階と
を備える方法。
【請求項２】
前記指示情報は、第１インデックスまたは第２インデックスを示す情報を含み、前記第１インデックスは、前記第１グループの探索空間に対応し、前記第２インデックスは、前記第２グループの探索空間に対応する、請求項１に記載の方法。
【請求項３】
前記第１グループの探索空間および前記第２グループの探索空間はそれぞれ、少なくとも１つの探索空間を含む、請求項１または２に記載の方法。
【請求項４】
前記第１グループの探索空間および前記第２グループの探索空間は、異なる探索空間を含む、請求項３に記載の方法。
【請求項５】
前記第１グループの探索空間のうち少なくとも１つの探索空間の監視周期は、前記第２グループの探索空間のうち少なくとも１つの探索空間の監視周期とは異なる、請求項１から４のいずれか一項に記載の方法。
【請求項６】
前記第１グループの探索空間でＰＤＣＣＨを監視する前記段階は、
前記第１グループの探索空間に含まれる少なくとも１つの探索空間で前記ＰＤＣＣＨを監視する段階
を有する、
または、
前記第２グループの探索空間でＰＤＣＣＨを監視する前記段階は、
前記第２グループの探索空間に含まれる少なくとも１つの探索空間で前記ＰＤＣＣＨを監視する段階
を有する、
請求項１から５のいずれか一項に記載の方法。
【請求項７】
前記探索空間は、監視パラメータに対応し、前記監視パラメータは、端末が前記対応する探索空間でＰＤＣＣＨを監視するために使用する監視パラメータである、請求項１から６のいずれか一項に記載の方法。
【請求項８】
前記監視パラメータは、
監視されるＤＣＩフォーマット、
監視周期、
監視されるスロット、
監視対象スロットにおける監視持続時間、
監視対象スロットにおける監視される開始シンボル、
監視されるＰＤＣＣＨの集約レベル、および前記集約レベルに対するＰＤＣＣＨ候補の数
といったパラメータのうち１または複数を含む、請求項７に記載の方法。
【請求項９】
前記第１情報は、ＲＲＣシグナリングを介して受信される、請求項１から８のいずれか一項に記載の方法。
【請求項１０】
前記第２情報は、ダウンリンク制御情報ＤＣＩを介して受信される、請求項１から９のいずれか一項に記載の方法。
【請求項１１】
通信方法であって、
第１情報を端末に送信する段階であって、前記第１情報は、第１グループの探索空間および第２グループの探索空間を示すために使用される、段階と、
第２情報を前記端末に送信する段階であって、前記第２情報は、指示情報を含み、前記指示情報は、前記第１グループの探索空間または前記第２グループの探索空間を示すために使用される、段階と、
前記指示情報が前記第１グループの探索空間を示すとき、前記第２グループの探索空間で物理ダウンリンク制御チャネルＰＤＣＣＨを送信するのではなく、前記第１グループの探索空間でＰＤＣＣＨを送信する段階と、
前記指示情報が前記第２グループの探索空間を示すとき、前記第２グループの探索空間で物理ダウンリンク制御チャネルＰＤＣＣＨを送信し、前記第２グループの探索空間における前記ＰＤＣＣＨの送信を省略する段階と
を備える方法。
【請求項１２】
前記指示情報は、第１インデックスまたは第２インデックスを示す情報を含み、前記第１インデックスは、前記第１グループの探索空間に対応し、前記第２インデックスは、前記第２グループの探索空間に対応する、請求項１１に記載の方法。
【請求項１３】
前記第１グループの探索空間および前記第２グループの探索空間はそれぞれ、少なくとも１つの探索空間を含む、請求項１１または１２に記載の方法。
【請求項１４】
前記第１グループの探索空間および前記第２グループの探索空間は、異なる探索空間を含む、請求項１３に記載の方法。
【請求項１５】
前記第１グループの探索空間のうち少なくとも１つの探索空間の監視周期は、前記第２グループの探索空間のうち少なくとも１つの探索空間の監視周期とは異なる、請求項１１から１４のいずれか一項に記載の方法。
【請求項１６】
前記第１グループの探索空間でＰＤＣＣＨを送信する前記段階は、
前記第１グループの探索空間に含まれる少なくとも１つの探索空間で前記ＰＤＣＣＨを送信する段階
を有する、
または、
前記第２グループの探索空間でＰＤＣＣＨを送信する前記段階は、
前記第２グループの探索空間に含まれる少なくとも１つの探索空間で前記ＰＤＣＣＨを送信する段階
を有する、
請求項１１から１５のいずれか一項に記載の方法。
【請求項１７】
前記探索空間は、監視パラメータに対応し、前記監視パラメータは、前記端末が前記対応する探索空間でＰＤＣＣＨを監視するために使用する監視パラメータである、請求項１１から１６のいずれか一項に記載の方法。
【請求項１８】
前記監視パラメータは、
監視されるＤＣＩフォーマット、
監視周期、
監視されるスロット、
監視対象スロットにおける監視持続時間、
監視対象スロットにおける監視される開始シンボル、
監視されるＰＤＣＣＨの集約レベル、および前記集約レベルに対するＰＤＣＣＨ候補の数
といったパラメータのうち１または複数を含む、請求項１７に記載の方法。
【請求項１９】
前記第１情報は、ＲＲＣシグナリングを介して前記端末に送信される、請求項１１から１８のいずれか一項に記載の方法。
【請求項２０】
前記第２情報は、ダウンリンク制御情報ＤＣＩを介して前記端末に送信される、請求項１１から１９のいずれか一項に記載の方法。
【請求項２１】
通信方法であって、
端末が、ネットワークデバイスにより送信される第１情報を受信する段階であって、前記第１情報は、第１探索空間、第２探索空間、第１監視パラメータ、および第２監視パラメータを示すために使用され、前記第１監視パラメータは、前記端末が前記第１探索空間で物理ダウンリンク制御チャネルＰＤＣＣＨを監視するための監視パラメータであり、前記第２監視パラメータは、前記端末が前記第２探索空間でＰＤＣＣＨを監視するための監視パラメータであり、前記第１探索空間は前記第２探索空間とは異なるか、または、前記第１探索空間は前記第２探索空間と同じであるが、前記第１監視パラメータは前記第２監視パラメータとは異なる、段階と、
前記端末が、前記第１監視パラメータに基づいて前記第１探索空間で前記ＰＤＣＣＨを監視するか、または、前記端末が、前記第２監視パラメータに基づいて前記第２探索空間で前記ＰＤＣＣＨを監視する段階と
を備える方法。
【請求項２２】
前記端末が、前記ネットワークデバイスにより送信される第２情報を受信する段階
を更に備え、
前記第２情報は、前記第１監視パラメータに基づいて前記第１探索空間で前記ＰＤＣＣＨを監視するように前記端末に命令するために使用される、または、
前記第２情報は、前記第２監視パラメータに基づいて前記第２探索空間で前記ＰＤＣＣＨを監視するように前記端末に命令するために使用される、
請求項２１に記載の方法。
【請求項２３】
前記第２情報は、ダウンリンク制御情報ＤＣＩ、媒体アクセス制御・制御要素ＭＡＣ  ＣＥ、または無線リソース制御ＲＲＣシグナリングを使用することにより前記端末に送信される、請求項２２に記載の方法。
【請求項２４】
前記端末が、前記第１監視パラメータに基づいて前記第１探索空間で前記ＰＤＣＣＨを監視するか、または、前記端末が、前記第２監視パラメータに基づいて前記第２探索空間で前記ＰＤＣＣＨを監視する前記段階は、
前記端末が第１動作モードにあるとき、前記第１監視パラメータに基づいて前記第１探索空間で前記ＰＤＣＣＨを監視する段階、または、
前記端末が第２動作モードにあるとき、前記第２監視パラメータに基づいて前記第２探索空間で前記ＰＤＣＣＨを監視する段階
を有する、請求項２１に記載の方法。
【請求項２５】
前記端末が、前記ネットワークデバイスにより送信される第３情報を受信する段階であって、前記第３情報は、前記端末の動作モードを示すために使用される、段階
を更に備える請求項２４に記載の方法。
【請求項２６】
前記第３情報は、ＤＣＩ、ＭＡＣ  ＣＥ、またはＲＲＣシグナリングを使用することにより前記端末に送信される、請求項２５に記載の方法。
【請求項２７】
前記端末が、前記第１監視パラメータに基づいて前記第１探索空間で前記ＰＤＣＣＨを監視するか、または、前記端末が、前記第２監視パラメータに基づいて前記第２探索空間で前記ＰＤＣＣＨを監視する前記段階は、
間欠受信ＤＲＸが前記端末用に構成されるとき、前記第１監視パラメータに基づいて前記第１探索空間で前記ＰＤＣＣＨを監視する段階、または、
ＤＲＸが前記端末用に構成されないとき、前記第２監視パラメータに基づいて前記第２探索空間で前記ＰＤＣＣＨを監視する段階
を有する、請求項２１に記載の方法。
【請求項２８】
前記端末が、前記第１監視パラメータに基づいて前記第１探索空間で前記ＰＤＣＣＨを監視するか、または、前記端末が、前記第２監視パラメータに基づいて前記第２探索空間で前記ＰＤＣＣＨを監視する前記段階は、
第１ＤＲＸパラメータが前記端末用に構成されるとき、前記第１監視パラメータに基づいて前記第１探索空間で前記ＰＤＣＣＨを監視する段階、または、
第２ＤＲＸパラメータが前記端末用に構成されるとき、前記第２監視パラメータに基づいて前記第２探索空間で前記ＰＤＣＣＨを監視する段階
を有する、請求項２１に記載の方法。
【請求項２９】
前記監視パラメータは、
監視されるＤＣＩのフォーマット、
監視周期、
監視スロット、
監視対象スロットにおける監視持続時間、
監視対象スロットにおける監視開始シンボル、
監視されるＰＤＣＣＨの集約レベル、および前記集約レベルで監視する必要があるＰＤＣＣＨ候補位置の数
といったパラメータのうち１または複数を含む、請求項２１から２８のいずれか一項に記載の方法。
【請求項３０】
通信方法であって、
ネットワークデバイスが、第１情報を端末に送信する段階であって、前記第１情報は、第１探索空間、第２探索空間、第１監視パラメータ、および第２監視パラメータを示すために使用され、前記第１監視パラメータは、前記端末が前記第１探索空間で物理ダウンリンク制御チャネルＰＤＣＣＨを監視するための監視パラメータであり、前記第２監視パラメータは、前記端末が前記第２探索空間でＰＤＣＣＨを監視するための監視パラメータであり、前記第１探索空間は前記第２探索空間とは異なるか、または、前記第１探索空間は前記第２探索空間と同じであるが、前記第１監視パラメータは前記第２監視パラメータとは異なる、段階と、
前記ネットワークデバイスが、前記第１監視パラメータに基づいて前記第１探索空間で前記ＰＤＣＣＨを送信するか、または、前記第２監視パラメータに基づいて前記第２探索空間で前記ＰＤＣＣＨを送信する段階と
を備える方法。
【請求項３１】
前記ネットワークデバイスが、第２情報を前記端末に送信する段階
を更に備え、
前記第２情報は、前記第１監視パラメータに基づいて前記第１探索空間で前記ＰＤＣＣＨを監視するように前記端末に命令するために使用される、または、
前記第２情報は、前記第２監視パラメータに基づいて前記第２探索空間で前記ＰＤＣＣＨを監視するように前記端末に命令するために使用される、
請求項３０に記載の方法。
【請求項３２】
前記第２情報は、ダウンリンク制御情報ＤＣＩ、媒体アクセス制御・制御要素ＭＡＣ  ＣＥ、または無線リソース制御ＲＲＣシグナリングを使用することにより前記端末に送信される、請求項３１に記載の方法。
【請求項３３】
前記ネットワークデバイスが、前記第１監視パラメータに基づいて前記第１探索空間で前記ＰＤＣＣＨを送信するか、または、前記第２監視パラメータに基づいて前記第２探索空間で前記ＰＤＣＣＨを送信する前記段階は、
前記端末が第１動作モードにあると前記ネットワークデバイスが判断すると、前記第１監視パラメータに基づいて前記第１探索空間で前記ＰＤＣＣＨを送信する段階、または、
前記端末が第２動作モードにあると前記ネットワークデバイスが判断すると、前記第２監視パラメータに基づいて前記第２探索空間で前記ＰＤＣＣＨを送信する段階
を有する、請求項３０に記載の方法。
【請求項３４】
前記ネットワークデバイスが、第３情報を前記端末に送信する段階であって、前記第３情報は、前記端末の動作モードを示すために使用される、段階
を更に備える請求項３３に記載の方法。
【請求項３５】
前記第３情報は、ＤＣＩ、ＭＡＣ  ＣＥ、またはＲＲＣシグナリングを使用することにより前記端末に送信される、請求項３４に記載の方法。
【請求項３６】
前記ネットワークデバイスが、前記第１監視パラメータに基づいて前記第１探索空間で前記ＰＤＣＣＨを送信するか、または、前記第２監視パラメータに基づいて前記第２探索空間で前記ＰＤＣＣＨを送信する前記段階は、
間欠受信ＤＲＸが前記端末用に構成されると前記ネットワークデバイスが判断すると、前記第１監視パラメータに基づいて前記第１探索空間で前記ＰＤＣＣＨを送信する段階、または、
ＤＲＸが前記端末用に構成されないと前記ネットワークデバイスが判断すると、前記第２監視パラメータに基づいて前記第２探索空間で前記ＰＤＣＣＨを送信する段階
を有する、請求項３０に記載の方法。
【請求項３７】
前記ネットワークデバイスが、前記第１監視パラメータに基づいて前記第１探索空間で前記ＰＤＣＣＨを送信するか、または、前記第２監視パラメータに基づいて前記第２探索空間で前記ＰＤＣＣＨを送信する前記段階は、
第１ＤＲＸパラメータが前記端末用に構成されると前記ネットワークデバイスが判断すると、前記第１監視パラメータに基づいて前記第１探索空間で前記ＰＤＣＣＨを送信する段階、または、
第２ＤＲＸパラメータが前記端末用に構成されると前記ネットワークデバイスが判断すると、前記第２監視パラメータに基づいて前記第２探索空間で前記ＰＤＣＣＨを送信する段階
を有する、請求項３０に記載の方法。
【請求項３８】
前記監視パラメータは、
監視されるＤＣＩのフォーマット、
監視周期、
監視スロット、
監視対象周期における監視持続時間、
監視対象スロットにおける監視開始シンボル、
監視されるＰＤＣＣＨの集約レベル、および前記集約レベルで監視する必要があるＰＤＣＣＨ候補位置の数
といったパラメータのうち１または複数を含む、請求項３０から３７のいずれか一項に記載の方法。
【請求項３９】
プロセッサと、メモリと、通信インタフェースとを備える端末であって、前記メモリは、プログラムを記憶するように構成され、前記プロセッサは、前記メモリに記憶される前記プログラムを呼び出して、前記通信インタフェースを使用して、請求項１から９のいずれか一項または請求項１９から２９のいずれか一項に記載の方法を実装する、端末。
【請求項４０】
プロセッサと、メモリと、通信インタフェースとを備えるネットワークデバイスであって、前記メモリは、プログラムを記憶するように構成され、前記プロセッサは、前記メモリに記憶される前記プログラムを呼び出して、前記通信インタフェースを使用して、請求項１０から１８のいずれか一項または請求項３０から３８のいずれか一項に記載の方法を実装する、ネットワークデバイス。
【請求項４１】
請求項３９に記載の端末と、請求項４０に記載のネットワークデバイスとを備える通信システム。
【請求項４２】
コンピュータ命令を記憶するコンピュータ可読記憶媒体であって、前記コンピュータ命令がコンピュータ上で実行されると、前記コンピュータは、請求項１から３８のいずれか一項に記載の方法を実行できるようになっている、コンピュータ可読記憶媒体。
【請求項４３】
コンピュータに、請求項１から３８のいずれか一項に記載の方法を実行させるためのコンピュータプログラム。
【請求項４４】
メモリに接続されるチップであって、前記メモリに記憶されるソフトウェアプログラムを読み取り、実行して、請求項１から３８のいずれか一項に記載の方法を実行するように構成される、チップ。
【発明の詳細な説明】
【技術分野】
【０００１】
本願は、通信技術の分野、特に通信方法および通信デバイスに関する。
【背景技術】
【０００２】
基地局は、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を使用することによりダウンリンク制御情報（ｄｏｗｎｌｉｎｋ  ｃｏｎｔｒｏｌ  ｉｎｆｏｒｍａｔｉｏｎ、ＤＣＩ）を端末に送信して、端末がダウンリンクデータを受信する時間周波数リソース、変調および符号化方式（ｍｏｄｕｌａｔｉｏｎ  ａｎｄ  ｃｏｄｉｎｇ  ｓｃｈｅｍｅ、ＭＣＳ）、および冗長バージョン（ｒｅｄｕｎｄａｎｃｙ  ｖｅｒｓｉｏｎ、ＲＶ）などの構成パラメータを示す。
【０００３】
端末がＤＣＩを受信すると、ダウンリンク制御領域内の複数のＰＤＣＣＨ候補位置でブラインド検出（ｂｌｉｎｄ  ｄｅｔｅｃｔ、ＢＤ）が実行される。ＰＤＣＣＨ候補位置のグループは、探索空間（ｓｅａｒｃｈ  ｓｐａｃｅ）を形成する。基地局は、端末用に１または複数の探索空間を構成することができる。端末は、構成される１または複数の探索空間で監視を実行して、端末に送信されるＤＣＩの有無を検出する。基地局は、端末用に、各探索空間でＰＤＣＣＨを監視するためのパラメータ、例えば、監視周期、監視スロット、ＰＤＣＣＨの集約レベル、およびブラインド検出の最大回数を更に構成する。
【０００４】
先行技術では、基地局は、無線リソース制御（ｒａｄｉｏ  ｒｅｓｏｕｒｃｅ  ｃｏｎｔｒｏｌ、ＲＲＣ）シグナリングを使用することにより、端末用に構成される１または複数の探索空間、および、各探索空間に対応する監視パラメータを端末に送信することができ、端末は、受信される監視パラメータに基づいて、対応する探索空間でＰＤＣＣＨを監視する。ただし、端末用に探索空間および監視パラメータを構成するとき、基地局は、端末が現在使用する必要がある探索空間および監視パラメータのみを決定する。この場合は、構成が十分に柔軟ではない。
【発明の概要】
【０００５】
本願は、１または複数のグループの探索空間および複数のグループのＰＤＣＣＨ監視パラメータを端末に送信するための通信方法および通信デバイスを提供する。その結果、端末は、１つのグループの監視パラメータに基づいて１つのグループの探索空間でＰＤＣＣＨを監視する。
【０００６】
第１態様によれば、本願は通信方法を提供する。方法は、ネットワークデバイスが、第１情報を端末に送信する段階であって、第１情報は、第１探索空間、第２探索空間、第１監視パラメータ、および第２監視パラメータを示すために使用され、第１監視パラメータは、端末が第１探索空間でＰＤＣＣＨを監視するための監視パラメータであり、第２監視パラメータは、端末が第２探索空間でＰＤＣＣＨを監視するための監視パラメータであり、第１探索空間は第２探索空間とは異なるか、または、第１探索空間は第２探索空間と同じであるが、第１監視パラメータは第２監視パラメータとは異なる、段階、および、ネットワークデバイスが、第１情報を送信した後、第１監視パラメータに基づいて第１探索空間でＰＤＣＣＨを送信し、その結果、端末が、第１情報を受信した後、第１監視パラメータに基づいて第１探索空間でＰＤＣＣＨを監視する段階、または、ネットワークデバイスが、第１情報を送信した後、第２監視パラメータに基づいて第２探索空間でＰＤＣＣＨを送信し、その結果、端末が、第１情報を受信した後、第２監視パラメータに基づいて第２探索空間でＰＤＣＣＨを監視する段階を含む。
【０００７】
従来のＰＤＣＣＨ監視プロセスでは、ネットワークデバイスは、探索空間および対応する監視パラメータを端末に送信し、端末は、ネットワークデバイスにより示される全ての探索空間で監視を実行する。探索空間または監視パラメータを変更する必要がある場合は、ネットワークデバイスは、変更される探索空間および全ての監視パラメータを端末に送信する必要がある。ただし、前述の方法では、ネットワークデバイスにより送信される第１情報は、複数のグループの探索空間および複数のグループの監視パラメータを保持することができ、端末は、全ての探索空間でＰＤＣＣＨを監視するのではなく、１つのグループの監視パラメータに基づいて１つのグループの探索空間でＰＤＣＣＨを監視する。探索空間または監視パラメータを変更する必要がある場合は、ネットワークデバイスは、探索空間および全ての監視パラメータを送信するのではなく、探索空間または監視パラメータを切り替えるように端末に命令するだけでよい。
【０００８】
第１態様に関連して、第１態様の第１の考えられる実装では、ネットワークデバイスは、第２情報を端末に送信し、第２情報は、第１監視パラメータに基づいて第１探索空間でＰＤＣＣＨを監視するように端末に命令するために使用されるか、または、第２監視パラメータに基づいて第２探索空間でＰＤＣＣＨを監視するように端末に命令するために使用される。
【０００９】
前述の方法では、ネットワークデバイスは、第２情報を端末に送信して、指定された監視パラメータに基づいて指定された探索空間でＰＤＣＣＨを監視するように端末に直接命令することができる。例えば、ネットワークデバイスは、第１探索空間および第１監視パラメータがインデックス１に対応し、かつ、第２探索空間および第２監視パラメータがインデックス２に対応するように予め構成することができる。第２指示情報がインデックス１を含む場合は、第２指示情報は、第１監視パラメータに基づいて第１探索空間でＰＤＣＣＨを監視するように端末に命令するために使用される。
【００１０】
第１態様に関連して、第１態様の第２の考えられる実装では、ネットワークデバイスは、ＤＣＩ、媒体アクセス制御・制御要素（ｍｅｄｉａ  ａｃｃｅｓｓ  ｃｏｎｔｒｏｌ  ｃｏｎｔｒｏｌ  ｅｌｅｍｅｎｔ、ＭＡＣ  ＣＥ）、またはＲＲＣシグナリングを使用することにより、第２情報を端末に送信することができる。
【００１１】
第１態様に関連して、第１態様の第３の考えられる実装では、端末が第１動作モードにあるとき、ネットワークデバイスは、第１監視パラメータに基づいて第１探索空間でＰＤＣＣＨを送信し、端末は、第１監視パラメータに基づいて第１探索空間でＰＤＣＣＨを監視する、または、端末が第２動作モードにあるとき、ネットワークデバイスは、第２監視パラメータに基づいて第２探索空間でＰＤＣＣＨを送信し、端末は、第２監視パラメータに基づいて第２探索空間でＰＤＣＣＨを監視する。前述のように、ネットワークデバイスがＰＤＣＣＨを送信し、かつ、端末がＰＤＣＣＨを監視する場合は、端末の動作モードに基づいて、選択される探索空間および選択される監視パラメータが決定される。
【００１２】
第１態様に関連して、第１態様の第４の考えられる実装では、ネットワークデバイスは、第３情報を端末に更に送信することができ、第３情報は、端末の動作モードを示すために使用される。代替的に、ネットワークデバイスが端末の動作モードを示す必要がない場合がある。代わりに、端末およびネットワークデバイスに動作モード切り替えポリシが予め構成される。端末およびネットワークデバイスは、動作モード切り替えポリシに基づいて、端末の現在の動作モードを決定することができる。
【００１３】
第１態様に関連して、第１態様の第５の考えられる実装では、ネットワークデバイスは、ＤＣＩ、ＭＡＣ  ＣＥ、またはＲＲＣ情報を使用することにより、第３情報を端末に送信することができる。
【００１４】
第１態様に関連して、第１態様の第６の考えられる実装では、間欠受信（ｄｉｓｃｏｎｔｉｎｕｏｕｓ  ｒｅｃｅｐｔｉｏｎ、ＤＲＸ）が端末用に構成されるとき、ネットワークデバイスは、第１監視パラメータに基づいて第１探索空間でＰＤＣＣＨを送信し、端末は、第１監視パラメータに基づいて第１探索空間でＰＤＣＣＨを監視する、または、ＤＲＸが端末用に構成されないとき、ネットワークデバイスは、第２監視パラメータに基づいて第２探索空間でＰＤＣＣＨを送信し、端末は、第２監視パラメータに基づいて第２探索空間でＰＤＣＣＨを監視する。
【００１５】
第１態様に関連して、第１態様の第７の考えられる実装では、第１ＤＲＸパラメータが端末用に構成されるとき、ネットワークデバイスは、第１監視パラメータに基づいて第１探索空間でＰＤＣＣＨを送信し、端末は、第１監視パラメータに基づいて第１探索空間でＰＤＣＣＨを監視する、または、第２ＤＲＸパラメータが端末用に構成されるとき、ネットワークデバイスは、第２監視パラメータに基づいて第２探索空間でＰＤＣＣＨを送信し、端末は、第２監視パラメータに基づいて第２探索空間でＰＤＣＣＨを監視する。
【００１６】
第１態様に関連して、第１態様の第８の考えられる実装では、前述の監視パラメータ（第１監視パラメータまたは第２監視パラメータであってよい）は、監視されるＤＣＩのフォーマット、監視周期、監視スロット、監視周期における監視持続時間、監視対象スロットにおける監視開始シンボル、監視されるＰＤＣＣＨの集約レベル、および当該集約レベルで監視する必要があるＰＤＣＣＨ候補位置の数といったパラメータのうち１または複数を含む。
【００１７】
第２態様によれば、本願のある実施形態は端末を提供する。端末は、第１態様の任意の実装における方法で端末により実装される機能を実装するように構成される受信ユニットおよび処理ユニットを含み得る。
【００１８】
第３態様によれば、本願のある実施形態はネットワークデバイスを提供する。ネットワークデバイスは、第１態様の任意の実装における方法でネットワークデバイスにより実装される機能を実装するように構成される送信ユニットおよび処理ユニットを含み得る。
【００１９】
第４態様によれば、本願のある実施形態は端末デバイスを提供する。端末は、プロセッサ、メモリ、および通信インタフェースを含み得る。メモリは、プログラムを記憶するように構成される。プロセッサは、メモリに記憶されるプログラムを呼び出して、通信インタフェースを使用して、第１態様の任意の実装における方法で端末により実装される機能を実装する。
【００２０】
第５態様によれば、本願のある実施形態はネットワークデバイスを提供する。ネットワークデバイスは、プロセッサ、メモリ、および通信インタフェースを含み得る。メモリは、プログラムを記憶するように構成される。プロセッサは、メモリに記憶されるプログラムを呼び出して、通信インタフェースを使用して、第１態様の任意の実装における方法でネットワークデバイスにより実装される機能を実装する。
【００２１】
第６態様によれば、本願のある実施形態は通信システムを提供する。通信システムは、第２態様の端末および第３態様のネットワークデバイスを含む。代替的に、通信システムは、第４態様の端末デバイスおよび第５態様のネットワークデバイスを含み得る。
【００２２】
第７態様によれば、本願のある実施形態はコンピュータ可読記憶媒体を提供する。コンピュータ可読記憶媒体は、コンピュータ命令を記憶する。命令がコンピュータ上で実行されると、コンピュータは、第１態様の任意の実装における方法で端末により実装される機能を実装できるようになっている、または、コンピュータは、第１態様の任意の実装における方法でネットワークデバイスにより実装される機能を実装できるようになっている。
【００２３】
第８態様によれば、本願のある実施形態は、命令を含むコンピュータプログラム製品を提供する。コンピュータプログラム製品がコンピュータ上で実行されると、コンピュータは、第１態様の任意の実装における方法で端末により実装される機能を実装できるようになっている、または、コンピュータは、第１態様の任意の実装における方法でネットワークデバイスにより実装される機能を実装できるようになっている。
【００２４】
第９態様によれば、本願はチップを提供する。チップはメモリに接続され、メモリに記憶されるソフトウェアプログラムを読み取り、実行して、第１態様の任意の実装における方法で端末により実装される機能を実装するか、または、第１態様の任意の実装における方法でネットワークデバイスにより実装される機能を実装するように構成される。
【図面の簡単な説明】
【００２５】
【図１】本願のある実施形態に係る適用シナリオの概略図である。
【００２６】
【図２】本願のある実施形態に係る通信方法の概略フローチャート１である。
【００２７】
【図３】本願のある実施形態に係る通信方法の概略フローチャート２である。
【００２８】
【図４】本願のある実施形態に係る通信方法の概略フローチャート３である。
【００２９】
【図５】本願のある実施形態に係るＤＲＸの概略図である。
【００３０】
【図６】本願のある実施形態に係る通信方法の概略フローチャート４である。
【００３１】
【図７】本願のある実施形態に係る端末の概略構造図１である。
【００３２】
【図８】本願のある実施形態に係るネットワークデバイスの概略構造図１である。
【００３３】
【図９】本願のある実施形態に係る端末の概略構造図２である。
【００３４】
【図１０】本願のある実施形態に係るネットワークデバイスの概略構造図２である。
【発明を実施するための形態】
【００３５】
本願の目的、技術的解決策、および利点をより明確にするために、以下では、添付図面を参照しながら本願について更に詳細に説明する。
【００３６】
基地局は、ＲＲＣシグナリングを使用することにより、端末用に構成される１または複数の探索空間と、各探索空間に対応する監視パラメータとを端末に送信することができる。端末は、受信される監視パラメータに基づいて、対応する探索空間でＰＤＣＣＨを監視する。ただし、端末用に探索空間および監視パラメータを構成するとき、基地局は、端末が現在使用する必要がある探索空間および監視パラメータのみを決定する。この場合は、構成が十分に柔軟ではない。
【００３７】
より柔軟な構成を実装するために、本願の実施形態は、通信方法および通信装置を提供する。方法および装置は、第５世代（ｔｈｅ  ５ｔｈ  ｇｅｎｅｒａｔｉｏｎ、５Ｇ）移動通信システム、ロングタームエボリューション（ｌｏｎｇ  ｔｅｒｍ  ｅｖｏｌｕｔｉｏｎ、ＬＴＥ）システム、または別の通信システムに適用され得る。本願の実施形態は、図１に示すシナリオに適用され得る。
【００３８】
本願の実施形態におけるネットワークデバイスが基地局である場合は、基地局は、受信される無線フレームおよびインターネットプロトコル（Ｉｎｔｅｒｎｅｔ  Ｐｒｏｔｏｃｏｌ、ＩＰ）パケットを相互に変換し、かつ、無線端末とアクセスネットワークの残りの部分との間のルータとして機能するように構成されてよく、アクセスネットワークの残りの部分は、ＩＰネットワークを含み得る。ネットワークデバイスは、エアインタフェースの属性管理を調整するように更に構成され得る。異なる無線アクセス技術を使用する通信システムでは、基地局機能を有するデバイスが異なる名称を有し得る。例えば、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））または符号分割多元接続（ｃｏｄｅ  ｄｉｖｉｓｉｏｎ  ｍｕｌｔｉｐｌｅ  ａｃｃｅｓｓ、ＣＤＭＡ）システムにおける基地局は、ベーストランシーバ基地局（ｂａｓｅ  ｔｒａｎｓｃｅｉｖｅｒ  ｓｔａｔｉｏｎ、ＢＴＳ）と呼ばれ、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システムにおける基地局は、ノードＢ（ｎｏｄｅＢ）と呼ばれ、ＬＴＥシステムにおける基地局は、進化型ノードＢ（ｅｖｏｌｕｔｉｏｎａｌ  ｎｏｄｅＢ、ｅＮＢ）と呼ばれ、ＮＲシステムにおける基地局は、一般ノードＢ（ｇｅｎｅｒａｌ  ｎｏｄｅＢ、ｇＮＢ）と呼ばれる。これについては、本願の実施形態では限定されない。
【００３９】
本願の実施形態における端末デバイスは、ユーザ機器（ｕｓｅｒ  ｅｑｕｉｐｍｅｎｔ、ＵＥ）、アクセス端末デバイス、加入者ユニット、加入者局、移動局、モバイルコンソール、リモート局、リモート端末デバイス、モバイルデバイス、ユーザ端末デバイス、端末デバイス、無線通信デバイス、ユーザエージェント、またはユーザ装置などとも呼ばれ得る。端末デバイスは、携帯電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続される別の処理デバイス、車載デバイス、ウェアラブルデバイス、将来の５Ｇネットワークにおける端末デバイス、または将来の進化型の公衆陸上移動体ネットワーク（ｐｕｂｌｉｃ  ｌａｎｄ  ｍｏｂｉｌｅ  ｎｅｔｗｏｒｋ、ＰＬＭＮ）における端末デバイスであってよい。これについては、本願の実施形態では限定されない。
【００４０】
図２は、本願のある実施形態に係る通信方法の概略フローチャートである。この図に示すように、方法は以下の段階を含み得る。
【００４１】
段階２０１：ネットワークデバイスが第１情報を端末に送信する。第１情報は、第１探索空間、第２探索空間、第１監視パラメータ、および第２監視パラメータを示すために使用される。第１監視パラメータは、端末が第１探索空間でＰＤＣＣＨを監視するための監視パラメータである。第２監視パラメータは、端末が第２探索空間でＰＤＣＣＨを監視するための監視パラメータである。
【００４２】
第１探索空間および第２探索空間は、同じ探索空間であってよいが、第１監視パラメータは、第２監視パラメータとは異なる。すなわち、端末は、異なる持続時間、異なる動作モード、および異なるシナリオで、異なる監視パラメータに基づいて、同じ探索空間でＰＤＣＣＨを監視することができる。代替的に、第１探索空間および第２探索空間は、異なる探索空間であってよいが、第１監視パラメータは、第２監視パラメータと同じであってよい。すなわち、端末は、異なる持続時間、異なる動作モード、および異なるシナリオで、同じ監視パラメータに基づいて、異なる探索空間でＰＤＣＣＨを監視することができる。代替的に、第１探索空間は、第２探索空間とは異なり、同様に、第１監視パラメータは、第２監視パラメータとは異なる。すなわち、端末は、異なる持続時間、異なる動作モード、および異なるシナリオで、異なる探索空間で、これらの探索空間の監視パラメータに基づいてＰＤＣＣＨを監視することができる。
【００４３】
段階２０２：ネットワークデバイスは、第１監視パラメータに基づいて第１探索空間でＰＤＣＣＨを送信し、端末は、第１監視パラメータに基づいて第１探索空間でＰＤＣＣＨを監視する、または、ネットワークデバイスは、第２監視パラメータに基づいて第２探索空間でＰＤＣＣＨを送信し、端末は、第２監視パラメータに基づいて第２探索空間でＰＤＣＣＨを監視する。
【００４４】
従来のＰＤＣＣＨ監視プロセスでは、ネットワークデバイスは、探索空間および対応する監視パラメータを端末に送信し、端末は、ネットワークデバイスにより示される全ての探索空間で監視を実行する。探索空間または監視パラメータを変更する必要がある場合は、ネットワークデバイスは、変更される探索空間および全ての監視パラメータを端末に送信する必要がある。ただし、前述の方法では、ネットワークデバイスにより送信される第１情報は、複数のグループの探索空間および複数のグループの監視パラメータを保持することができ、端末は、全ての探索空間でＰＤＣＣＨを監視するのではなく、対応する監視パラメータに基づいて１つのグループの探索空間でＰＤＣＣＨを監視する。探索空間または監視パラメータを変更する必要がある場合は、ネットワークデバイスは、探索空間および全ての監視パラメータを送信するのではなく、探索空間または監視パラメータを切り替えるように端末に命令するだけでよい。
【００４５】
前述の実施形態に記載の第１情報は、第１探索空間、第２探索空間、第１監視パラメータ、および第２監視パラメータを含み、このことは、第１情報にこれらの情報のみが含まれることを示しているわけではないことを理解されたい。第１情報は、第３探索空間および第３監視パラメータなどを更に含み得る。
【００４６】
第１情報が第３探索空間および第３監視パラメータを更に含む場合は、ネットワークデバイスは、第３探索空間および第３監視パラメータが第１探索空間および第１監視パラメータと同じ第１監視グループに属することを更に示すことができる。すなわち、同じ持続時間で、端末は、第１監視パラメータに基づいて第１探索空間でＰＤＣＣＨを監視することができ、第３監視パラメータに基づいて第３探索空間でＰＤＣＣＨを監視することもできる。代替的に、ネットワークデバイスは、第３探索空間および第３監視パラメータが第２探索空間および第２監視パラメータと同じ第２監視グループに属することを示すことができる。すなわち、同じ持続時間で、端末は、第２監視パラメータに基づいて第２探索空間でＰＤＣＣＨを監視することができ、第３監視パラメータに基づいて第３探索空間でＰＤＣＣＨを監視することもできる。代替的に、ネットワークデバイスは、第３探索空間および第３監視パラメータが第３監視グループに属することを示すことができる。すなわち、端末が第３監視パラメータに基づいて第３探索空間でＰＤＣＣＨを監視する場合は、端末は、第１監視パラメータに基づいて第１探索空間でＰＤＣＣＨを監視せず、同様に、第２監視パラメータに基づいて第２探索空間でＰＤＣＣＨを監視しない。
【００４７】
オプションで、前述の監視パラメータは、以下のパラメータのうち１つまたはそれらの組み合わせを含み得る。
【００４８】
監視されるＤＣＩのフォーマット（ＤＣＩ  ｆｏｒｍａｔ）：ＰＤＣＣＨを使用することによってネットワークデバイスにより伝送されるＤＣＩは、複数のフォーマットを有する。異なる目的およびシナリオに基づいて、異なるフォーマットが使用される。例えば、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）のスケジューリングに使用されるＤＣＩは、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリングに使用されるＤＣＩとは異なるフォーマットを有し得る。ネットワークデバイスは、対応する探索空間で１または複数のフォーマットのＤＣＩを監視するように端末に命令することができる。例えば、ネットワークデバイスが第１探索空間で監視するように端末に命令できるＤＣＩのフォーマットは、ＤＣＩ−ｆｏｒｍａｔ０−０−ＡｎｄＦｏｒｍａｔ１−０、ＤＣＩ−ｆｏｒｍａｔ２−０、ＤＣＩ−ｆｏｒｍａｔ２−１、ＤＣＩ−ｆｏｒｍａｔ２−２、またはＤＣＩ−ｆｏｒｍａｔ２−３であり、ネットワークデバイスが第２探索空間で監視するように端末に命令できるＤＣＩのフォーマットは、ＤＣＩ−ｆｏｒｍａｔ０−０−ＡｎｄＦｏｒｍａｔ１−０またはＤＣＩ−ｆｏｒｍａｔ２−０である。
【００４９】
監視周期：ネットワークデバイスは、端末用に監視周期を構成して、当該監視周期に基づいて、探索空間でＰＤＣＣＨを監視するように端末に命令することができる。監視周期はスロットの単位であってよい。例えば、ネットワークデバイスにより示される監視周期が８である場合は、監視周期が８スロットであることを示す。勿論、監視周期の単位はスロットに限定されるわけではなく、代替的に、ミリ秒（ｍｓ）またはサブフレームなどであってよい。
【００５０】
監視スロット：監視スロットは、端末がＰＤＣＣＨを監視するスロットを示すために使用される。概して、端末は、１つの監視周期に１つのスロットを監視する。例えば、監視周期が１０スロットであることをネットワークデバイスが示し得る場合は、監視スロットはスロット０である。勿論、端末は、１つの監視周期に複数のスロットを監視することもできる。監視される複数のスロットが連続するスロットである場合は、監視スロットパラメータが、監視開始スロットおよび監視持続時間を更に含み得る。監視開始スロットは、端末が１つの監視周期における監視の実行を開始するスロットを示し、監視持続時間は、１つの監視周期における継続的に監視されるスロットの数を示す。代替的に、ネットワークデバイスは、ビットマップを使用することにより、１つの監視周期に監視が実行される指定されたスロットを示すことができる。具体的には、各ビットは、監視周期における１つのスロットに対応し、ビットの値は、スロットを監視するかどうかを示す。ビットマップは、１つの監視周期に１つのスロット、複数の連続するスロット、または複数の連続しないスロットを監視するように端末に命令するために使用される。勿論、ネットワークデバイスにより示される時間単位は、代替的に、ミリ秒（ｍｓ）またはサブフレームなどであってよい。この場合は、ネットワークデバイスは、代替的に、監視時間（ｍｓ）および監視サブフレームなどのパラメータを送信することができる。
【００５１】
概して、これら２つのパラメータ、すなわち、監視周期および監視スロットは、一緒に端末に送信されて使用され、「監視スロット周期およびオフセット（ｍｏｎｉｔｏｒｉｎｇＳｌｏｔＰｅｒｉｏｄｉｃｉｔｙＡｎｄＯｆｆｓｅｔ）」パラメータを使用することにより端末に送信される。
【００５２】
監視対象スロットにおける監視持続時間（ｄｕｒａｔｉｏｎ）：持続時間は、監視が必要なスロットで端末により実行される監視の持続時間を示すために使用される。持続時間の単位はシンボルであってよい。
【００５３】
監視対象スロットにおける監視開始シンボル（ｍｏｎｉｔｏｒｉｎｇＳｙｍｂｏｌｓＷｉｔｈｉｎＳｌｏｔ）：シンボルは、監視が必要なスロットにおける端末によるＰＤＣＣＨの監視の開始シンボルを示すために使用される。例えば、１つのスロットは、それぞれ１４ビットに対応する１４個のシンボルを含む。１４ビットの値が１００００００１００００００である場合は、端末が、１つの監視対象スロットにおけるシンボル０およびシンボル７からＰＤＣＣＨの監視を開始することを示す。更に、ｄｕｒａｔｉｏｎの値が３である、すなわち、１回の監視が３つのシンボルにわたって続く場合は、端末は、シンボル０、シンボル１、シンボル２、シンボル７、シンボル８、およびシンボル９上でＰＤＣＣＨを監視する。
【００５４】
監視されるＰＤＣＣＨの集約レベルと、当該集約レベルで監視する必要があるＰＤＣＣＨ候補位置の数（ｎｒｏｆＣａｎｄｉｄａｔｅｓ）：
【００５５】
集約レベル（ａｇｇｒｅｇａｔｉｏｎＬｅｖｅｌｘ）は、１つのＰＤＣＣＨに含まれる制御チャネル要素（ｃｏｎｔｒｏｌ  ｃｈａｎｎｅｌ  ｅｌｅｍｅｎｔ、ＣＣＥ）の数を示す。１つのＰＤＣＣＨが１つのＣＣＥを含む場合は、ＰＤＣＣＨの集約レベルが１であり、１つのＰＤＣＣＨが２つのＣＣＥを含む場合は、ＰＤＣＣＨの集約レベルが２である、などである。一般的な集約レベルは、１、２、４、８、および１６である。
【００５６】
監視されるＰＤＣＣＨ候補位置の数は、端末により探索空間で監視されるＰＤＣＣＨ候補位置の最大数を示す。例えば、１つの探索空間が８つのＣＣＥを含む場合は、集約レベル１のＰＤＣＣＨについて、８つのＰＤＣＣＨ候補位置がある。ネットワークデバイスにより示される、監視されるＰＤＣＣＨ候補位置の数が６である場合は、予め設定されたルールに従って端末が８つのＰＤＣＣＨ候補位置から６つのＰＤＣＣＨ候補位置を選択して監視することを示す。
【００５７】
探索空間のタイプ（ｓｅａｒｃｈＳｐａｃｅＴｙｐｅ）：タイプは、ネットワークデバイスにより示される探索空間が共通の探索空間（ｃｏｍｍｏｎ）であるのか、ユーザ機器固有の探索空間（ＵＥ−ｓｐｅｃｉｆｉｃ）であるのかを示すために使用される。
【００５８】
考えられる実装では、段階２０２の前に、ネットワークデバイスは、第２情報を端末に更に送信することができる。第２情報は、第１監視パラメータに基づいて第１探索空間でＰＤＣＣＨを監視するように端末に命令するために使用されるか、または、第２監視パラメータに基づいて第２探索空間でＰＤＣＣＨを監視するように端末に命令するために使用される。このようにして、ネットワークデバイスは、指定された探索空間および指定された監視パラメータを決定し、指定された監視パラメータに基づいて、指定された探索空間でＰＤＣＣＨを監視するように端末に命令する。
【００５９】
例えば、ネットワークデバイスは、第１探索空間および第１監視パラメータがインデックス１に対応し、第２探索空間および第２監視パラメータがインデックス２に対応し、かつ、第３探索空間および第３監視パラメータがインデックス３に対応するように予め構成することができる。端末が第１監視パラメータに基づいて第１探索空間でＰＤＣＣＨを監視すべきであると、ネットワークデバイスが判断し、かつ、ネットワークデバイスが第１監視パラメータに基づいて第１探索空間でＰＤＣＣＨを送信すると、ネットワークデバイスが判断した場合は、ネットワークデバイスにより送信される第２情報は、インデックス１の指示情報を含み得る。端末が第２監視パラメータに基づいて第２探索空間でＰＤＣＣＨを監視し、かつ、第３監視パラメータに基づいて第３探索空間でＰＤＣＣＨを監視すべきであると、ネットワークデバイスが判断した場合は、ネットワークデバイスにより送信される第２情報は、インデックス２およびインデックス３の指示情報を含み得る。
【００６０】
別の例として、ネットワークデバイスは、第１探索空間、第１監視パラメータ、第３探索空間、および第３監視パラメータが監視グループ１に対応し、かつ、第２探索空間および第２監視パラメータが監視グループ２に対応するように予め構成することができる。ネットワークデバイスが監視グループ１の監視パラメータに基づいてＰＤＣＣＨを送信し、かつ、端末が監視グループ１の監視パラメータに基づいてＰＤＣＣＨを監視すべきであると、ネットワークデバイスが判断した場合は、ネットワークデバイスにより送信される第２情報は、監視グループ１の指示情報を含み得る。
【００６１】
オプションで、ネットワークデバイスは、第１情報および第２情報を同じシグナリングに追加し、当該シグナリングを端末に送信することができる。概して、第１情報は通常、ＲＲＣシグナリングを使用することにより端末に送信される。この場合は、ネットワークデバイスは、第１情報および第２情報をＲＲＣシグナリングに追加し、ＲＲＣシグナリングを端末に送信することができる。勿論、ネットワークデバイスは、代替的に、他のシグナリングを使用することにより第１情報および第２情報を端末に送信することができる。これについては、本願のこの実施形態では限定されない。
【００６２】
更に、ネットワークデバイスは、異なるシグナリングを使用することにより第１情報および第２情報を端末に送信することができる。この場合は、第２情報を送信するとき、ネットワークデバイスは、ＤＣＩ、ＭＡＣ  ＣＥ、またはＲＲＣシグナリングを使用することにより、第２情報を端末に送信することができる。ＤＣＩシグナリングは、物理層シグナリングに属し、ＭＡＣ  ＣＥシグナリングは、ＭＡＣ層シグナリングに属し、ＲＲＣシグナリングは、ＲＲＣ層シグナリングに属する。端末は、シグナリングを解析するとき、物理層解析、ＭＡＣ層解析、およびＲＲＣ層解析を順次実行する。従って、第２情報がＤＣＩシグナリングを使用することにより送信される場合は、遅延が比較的短くなる、第２情報がＲＲＣシグナリングを使用することにより送信される場合は、遅延が比較的長くなる、または、第２情報がＭＡＣ  ＣＥシグナリングを使用することにより送信される場合は、遅延が、ＤＣＩシグナリングを使用することにより送信を実行する遅延と、ＲＲＣシグナリングを使用することにより送信を実行する遅延との間にある。
【００６３】
更に、段階２０２の後、ネットワークデバイスは、端末がＰＤＣＣＨを監視するための探索空間および監視パラメータを変更する必要があると判断した場合、変更される探索空間および変更される監視パラメータを端末に示すために、指示情報を端末に更に送信することができる。第２情報と同様に、指示情報は、変更される探索空間および変更される監視パラメータのインデックス情報を含むか、または、変更される監視グループのインデックス情報を含み得る。指示情報は、ＤＣＩ、ＭＡＣ  ＣＥ、またはＲＲＣシグナリングを使用することにより、端末に送信されてもよい。
【００６４】
従来のＰＤＣＣＨ監視プロセスでは、端末用の探索空間および監視パラメータを変更する必要があると、ネットワークデバイスが判断した場合は、ネットワークデバイスは、ＲＲＣ再構成プロセスを通じて、変更される探索空間および対応する監視パラメータを端末に送信する。この場合は、シグナリングオーバヘッドが比較的高くなる。前述の実装では、ネットワークデバイスは、第１情報における複数の考えられる探索空間および対応する監視パラメータを端末に送信した。指示情報は、変更される探索空間と監視パラメータとに対応するインデックス情報のみを含み、それにより、シグナリングオーバヘッドを低減することができる。更に、指示情報がＤＣＩまたはＭＡＣ  ＣＥ情報を使用することにより送信される場合は、遅延が更に低減される。
【００６５】
考えられる実装では、段階Ｓ２０２は、図３に示す２つのケースを具体的に含み得る。
【００６６】
段階２０２ａ：端末が第１動作モードにある場合は、ネットワークデバイスは、第１監視パラメータに基づいて第１探索空間でＰＤＣＣＨを送信し、端末は、第１監視パラメータに基づいて第１探索空間でＰＤＣＣＨを監視する。
【００６７】
段階２０２ｂ：端末が第２動作モードにある場合は、ネットワークデバイスは、第２監視パラメータに基づいて第２探索空間でＰＤＣＣＨを送信し、端末は、第２監視パラメータに基づいて第２探索空間でＰＤＣＣＨを監視する。
【００６８】
前述の実装では、ネットワークデバイスは、第１探索空間および第１監視パラメータが第１動作モードに対応し、かつ、第２探索空間および第２監視パラメータが第２動作モードに対応するように予め構成することができる。この場合は、ネットワークデバイスおよび端末は、端末の現在の動作モードに基づいて、ＰＤＣＣＨの送信／監視に使用される探索空間および監視パラメータを決定することができる。
【００６９】
第１動作モードに対応する動作パラメータは第１探索空間および第１監視パラメータを含むことを理解されたい。ただし、これについてはそれに限定されない。例えば、第１動作モードは、端末の動作帯域幅の値、アクティブ化されたキャリアの数、および多重アンテナ・多入力多出力（ｍｕｌｔｉｐｌｅ−ｉｎｐｕｔ  ｍｕｌｔｉｐｌｅ−ｏｕｔｐｕｔ、ＭＩＭＯ）通信中の送信／受信アンテナの数などのパラメータに更に関連し得る。特定の例では、ネットワークデバイスは、端末が第１動作モードで動作するとき、端末の動作帯域幅が２０ＭＨｚであり、３つのキャリアがアクティブ化され、かつ、端末が監視パラメータ１に基づいて探索空間１でＰＤＣＣＨを監視するなどのように構成し、端末が第２動作モードで動作するとき、端末の動作帯域幅が１０ＭＨｚであり、１つのキャリアがアクティブ化され、かつ、端末が監視パラメータ１に基づいて探索空間１でＰＤＣＣＨを監視するなどのように構成する。この場合は、端末が第１動作モードから第２動作モードへの切り替えを決定すると、端末は、監視パラメータ２に基づいて探索空間２でＰＤＣＣＨを監視し、動作帯域幅は、２０ＭＨｚから１０ＭＨｚに切り替えられ、３つのアクティブ化されたキャリアが、１つのアクティブ化されたキャリアに変更される。勿論、ネットワークデバイスにより構成される様々なパラメータが、同じシグナリングまたは複数のシグナリングを使用することにより端末に送信され得る。
【００７０】
幾つかの実施形態では、ネットワークデバイスは、第３情報を端末に送信することができる。第３情報は、端末の動作モードを示すために使用される。具体的には、端末の動作モード切り替えポリシが、ネットワークデバイスで予め構成され得る。ネットワークデバイスは、動作モード切り替えポリシ、現在のネットワーク環境、端末の状況、および端末の要件などの要因に基づいて、端末の現在の動作モードを決定し、端末の動作モードを示すために使用される第３情報を端末に送信することができる。端末が第１動作モードで動作することを第３情報が示す場合は、端末は、第１監視パラメータに基づいて第１探索空間でＰＤＣＣＨを監視する。これに対応して、ネットワークデバイスは、第３情報を送信した後、第１監視パラメータに基づいて第１探索空間でＰＤＣＣＨを送信する。端末が第２動作モードで動作することを第３情報が示す場合は、端末は、第２監視パラメータに基づいて第２探索空間でＰＤＣＣＨを監視する。これに対応して、ネットワークデバイスは、第３情報を送信した後、第２監視パラメータに基づいて第２探索空間でＰＤＣＣＨを送信する。
【００７１】
オプションで、ネットワークデバイスは、ＤＣＩ、ＭＡＣ  ＣＥ、またはＲＲＣシグナリングを使用することにより、第３情報を端末に送信することができる。
【００７２】
幾つかの他の実施形態では、端末の動作モード切り替えポリシが、ネットワークデバイスおよび端末の両方で予め構成され得る。ネットワークデバイスおよび端末はどちらも、動作モード切り替えポリシ、現在のネットワーク環境、端末の状況、および端末の要件などの要因に基づいて、端末の現在の動作モードを決定することができる。例えば、予め設定された持続時間でネットワークデバイスがＤＣＩを端末に送信しない場合は、端末およびネットワークデバイスは、予め設定された動作モード切り替えポリシに従って端末の動作モードの切り替えを決定して、端末がＰＤＣＣＨを監視する回数を低減させることができる。この場合は、ネットワークデバイスは、動作モードを示すために使用される情報を端末に送信する必要がないかもしれない。
【００７３】
幾つかの他の実施形態では、動作モード切り替えポリシが端末で予め構成され得る。端末は、動作モード切り替えポリシ、現在のネットワーク環境、端末の状況、および端末の要件などの要因に基づいて、現在の動作モードを決定する。動作モードの切り替えを決定した後、端末は、第４情報をネットワークデバイスに送信して、切り替え先の動作モードをネットワークデバイスに通知することができ、その結果、ネットワークデバイスは、ＰＤＣＣＨを送信し、端末は、同じ監視パラメータに基づいて同じ探索空間でＰＤＣＣＨを監視する。第４情報は、アップリンク制御情報（ｕｐｌｉｎｋ  ｃｏｎｔｒｏｌ  ｉｎｆｏｒｍａｔｉｏｎ、ＵＣＩ）、ＭＡＣ  ＣＥ、またはＲＲＣシグナリングを使用することにより、ネットワークデバイスに送信され得る。例えば、端末の電気量が予め設定された閾値まで減少すると、端末は、省電力モードに切り替わることができる。省電力モードは、探索空間１および監視パラメータ１に対応する。このモードでは、端末がＰＤＣＣＨを監視する最大回数が、別の動作モードにおける監視の最大回数より少ない。この場合は、端末は、監視パラメータ１に基づいて探索空間１でＰＤＣＣＨを監視する。端末は、第４情報をネットワークデバイスに送信する。第４情報は、端末が省電力モードに切り替わることを示すために使用される。従って、ネットワークデバイスは、監視パラメータに基づいて探索空間１でＰＤＣＣＨを送信する。
【００７４】
オプションで、ネットワークデバイスは、端末により送信され、かつ、動作モードの切り替えを命令するために使用される指示情報を受信した後、応答情報を端末に送信して、ネットワークデバイスが動作モードを正常に切り替えるかどうかを示し、それにより、端末およびネットワークデバイスが同じ動作モードで動作することを保証することができる。このようにして、端末およびネットワークデバイスの動作モードが異なるために情報が誤って送信または受信されるといったケースが回避される。具体的には、ネットワークデバイスにより送信される応答情報は、切り替えが成功するかどうかを示すために使用され得る。例えば、切り替えの成功を示すために「１」が使用され、切り替えの失敗を示すために「０」が使用される。代替的に、ネットワークデバイスは、ネットワークデバイスにより現在決定されている動作モードに関する情報を応答情報に追加することができる。例えば、ネットワークデバイスが動作モード１から動作モード２に切り替わる場合は、応答情報は、動作モード２に関する情報を保持する。切り替えに失敗した場合は、応答情報は、動作モード１の情報を保持する。この場合は、応答情報は、前述の実施形態における第３情報と同様であり、当該情報に保持される動作モードに関する情報に基づいて、対応する動作モードで動作するように端末に命令するために使用される。
【００７５】
別の考えられる実装では、段階Ｓ２０２は、代替的に、図４に示す２つのケースを具体的に含み得る。
【００７６】
段階２０２ｃ：ＤＲＸが端末用に構成される場合は、ネットワークデバイスは、第１監視パラメータに基づいて第１探索空間でＰＤＣＣＨを送信し、端末は、第１監視パラメータに基づいて第１探索空間でＰＤＣＣＨを監視する。
【００７７】
段階２０２ｄ：ＤＲＸが端末用に構成されない場合は、ネットワークデバイスは、第２監視パラメータに基づいて第２探索空間でＰＤＣＣＨを送信し、端末は、第２監視パラメータに基づいて第２探索空間でＰＤＣＣＨを監視する。
【００７８】
前述の実装では、ネットワークデバイスは、第１探索空間および第１監視パラメータが、ＤＲＸが端末用に構成される場合に対応し、かつ、第２探索空間および第２監視パラメータが、ＤＲＸが端末用に構成されない場合に対応するように予め構成することができる。この場合は、ネットワークデバイスおよび端末は、ＤＲＸが端末用に現在構成されているかどうかに基づいて、ＰＤＣＣＨの送信／監視に使用される探索空間および監視パラメータを決定することができる。
【００７９】
具体的には、ＤＲＸは、ＲＲＣ＿接続（ＲＲＣ＿ｃｏｎｎｅｃｔｅｄ）モードの端末用に構成され得る。すなわち、図５に示すように、端末は、ＰＤＣＣＨを継続的に監視するのではなく、オン持続時間（ｏｎ  ｄｕｒａｔｉｏｎ）にＰＤＣＣＨを監視し、ＤＲＸの機会（ｏｐｐｏｒｔｕｎｉｔｙ  ｆｏｒ  ＤＲＸ）にＰＤＣＣＨを監視せず、それにより、端末の消費電力が削減される。１つのオン持続時間および１つのＤＲＸの機会が、１つのＤＲＸサイクルを形成する。
【００８０】
例えば、ＤＲＸが端末用に構成されない場合は、端末は、前述の実施形態における監視周期に従ってＰＤＣＣＨを監視することができる。監視時間が比較的長いため、１つの監視周期にＰＤＣＣＨを監視する回数が比較的少ない監視パラメータを使用することにより、ＰＤＣＣＨは監視され得る。ＤＲＸが端末用に構成される場合は、１つの監視周期にＰＤＣＣＨを監視する回数が比較的多い監視パラメータを使用することにより、ＰＤＣＣＨは監視され得る。
【００８１】
ＤＲＸが端末用に構成される場合は、前述の実施形態において監視周期における幾つかのスロットでＰＤＣＣＨを監視することは、オン持続時間に監視周期を設定することを更に意味することを理解されたい。すなわち、端末は、オン持続時間における幾つかのスロットでＰＤＣＣＨを監視し、オン持続時間の他のスロットではＰＤＣＣＨを監視しない。
【００８２】
更に、ＤＲＸが端末用に構成されるが、構成されるＤＲＸパラメータが、異なるシナリオで異なる要件に従って変化する場合は、段階２０２は、代替的に、図６に示す２つのケースを具体的に含み得る。
【００８３】
段階２０２ｅ：第１ＤＲＸパラメータが端末用に構成される場合は、ネットワークデバイスは、第１監視パラメータに基づいて第１探索空間でＰＤＣＣＨを送信し、端末は、第１監視パラメータに基づいて第１探索空間でＰＤＣＣＨを監視する。
【００８４】
段階２０２ｆ：第２ＤＲＸパラメータが端末用に構成される場合は、ネットワークデバイスは、第２監視パラメータに基づいて第２探索空間でＰＤＣＣＨを送信し、端末は、第２監視パラメータに基づいて第２探索空間でＰＤＣＣＨを監視する。
【００８５】
ＤＲＸパラメータは、１つのＤＲＸサイクルの持続時間、１つのサイクルにおけるオン持続時間の持続時間、１つのサイクルにおけるオン持続時間の開始位置、非アクティブタイマ（ＩｎａｃｔｉｖｉｔｙＴｉｍｅｒ）の持続時間、およびハイブリッド自動再送要求（ｈｙｂｒｉｄ  ａｕｔｏｍａｔｉｃ  ｒｅｐｅａｔ  ｒｅｑｕｅｓｔ、ＨＡＲＱ）再伝送タイマ（ｔｉｍｅｒ）の持続時間などを含み得る。
【００８６】
前述の第１ＤＲＸパラメータおよび前述の第２ＤＲＸパラメータは、１または複数のパラメータを別個に含み得ることを理解されたい。すなわち、第１ＤＲＸパラメータおよび第２ＤＲＸパラメータは、パラメータグループを示すために使用され得る。
【００８７】
前述の実装では、ネットワークデバイスは、第１探索空間および第１監視パラメータが第１ＤＲＸパラメータに対応し、かつ、第２探索空間および第２監視パラメータが第２ＤＲＸパラメータに対応するように予め構成することができる。この場合は、ネットワークデバイスおよび端末は、端末用に構成されるＤＲＸパラメータに基づいて、ＰＤＣＣＨの送信／監視に使用される探索空間および監視パラメータを決定することができる。
【００８８】
本願の前述の実施形態を更に明確に説明するために、以下では、例を使用することにより説明を提供する。
［実施形態１］
【００８９】
ＰＤＣＣＨの探索空間および監視パラメータを構成する従来のプロセスでは、ネットワークデバイスは、ＲＲＣシグナリングを端末に送信することができる。シグナリングは、端末のＰＤＣＣＨの探索空間を示すために、追加対象の探索空間のリスト（ｓｅａｒｃｈＳｐａｃｅｓＴｏＡｄｄＭｏｄＬｉｓｔ）、および削除対象の探索空間のリスト（ｓｅａｒｃｈＳｐａｃｅｓＴｏＲｅｌｅａｓｅＬｉｓｔ）を含み得る。
【００９０】
既存の解決策への変更を減らすには、前述のパラメータを依然として使用して、端末の第１探索空間を示すことができ、第１探索空間に対応するインデックスを正常（ｎｏｒｍａｌ）にすることができる。更には、第２探索空間を示すために、新たなパラメータ、すなわち、省電力用の探索空間のリスト（ｓｅａｒｃｈＳｐａｃｅｓＦｏｒＰｏｗｅｒＳａｖｉｎｇＴｏＡｄｄＭｏｄＬｉｓｔ）が追加される。第２探索空間に対応するインデックスは、省電力（ｐｏｗｅｒＳａｖｉｎｇ）であってよい。
【００９１】
ネットワークデバイスは、新たなパラメータ（ｕｓａｇｅ）を前述の情報に更に追加することができる。パラメータの値は、ｎｏｒｍａｌまたはｐｏｗｅｒＳａｖｉｎｇを示すことができる。すなわち、パラメータは、端末が第１探索空間を使用することによりＰＤＣＣＨを監視するのか、第２探索空間を使用することによりＰＤＣＣＨを監視するのかを示すために使用される。パラメータはデフォルトであってもよい。パラメータがデフォルトである場合は、端末は、デフォルト値、すなわち、ｎｏｒｍａｌを使用する。代替的に、ネットワークデバイスは、ＤＣＩ、ＭＡＣ  ＣＥ、またはＲＲＣシグナリングを使用することにより、前述のパラメータ（ｕｓａｇｅ）を含む指示情報を端末に送信することができる。
【００９２】
次に、ネットワークデバイスが、端末により監視されるＰＤＣＣＨの変更を決定した場合は、ネットワークデバイスは、ＤＣＩ、ＭＡＣ  ＣＥ、またはＲＲＣシグナリングを使用することにより、前述のパラメータ（ｕｓａｇｅ）を含む指示情報を端末に送信して、変更される探索空間を端末に示すことができる。
［実施形態２］
【００９３】
ＰＤＣＣＨの探索空間および監視パラメータを構成する従来のプロセスでは、ネットワークデバイスは、ＲＲＣシグナリングを端末に送信することができる。シグナリングは、監視スロット周期およびオフセット（ｍｏｎｉｔｏｒｉｎｇＳｌｏｔＰｅｒｉｏｄｉｃｉｔｙＡｎｄＯｆｆｓｅｔ）、監視対象スロットにおける監視開始シンボル（ｍｏｎｉｔｏｒｉｎｇＳｙｍｂｏｌｓＷｉｔｈｉｎＳｌｏｔ）、監視対象スロットにおける監視持続時間（ｄｕｒａｔｉｏｎ）、監視されるＰＤＣＣＨの集約レベル、および当該集約レベルで監視する必要があるＰＤＣＣＨ候補位置の数（ｎｒｏｆＣａｎｄｉｄａｔｅｓ）を含み得る。
【００９４】
既存の解決策への変更を減らすには、前述のパラメータを依然として使用して、第１監視パラメータを端末に示すことができ、第１監視パラメータに対応するインデックスを正常（ｎｏｒｍａｌ）にすることができる。具体的には、監視周期は２つのスロットであり、監視スロットはスロット０であり、監視は、監視対象スロットにおけるシンボル０およびシンボル７から開始し、監視は、３つのシンボルにわたって続く。すなわち、端末は、シンボル０、シンボル１、シンボル２、シンボル７、シンボル８、およびシンボル９上でＰＤＣＣＨを監視する。表１には、監視されるＰＤＣＣＨの集約レベルと、当該集約レベルで監視する必要があるＰＤＣＣＨ候補位置の数（ｎｒｏｆＣａｎｄｉｄａｔｅｓ）とが示され得る。
表１
集約レベル１  ８
集約レベル２  ８
集約レベル４  ６
集約レベル８  ４
集約レベル１６  ２
【００９５】
更には、監視周期が１０スロットであり、かつ、スロット０上で監視が実行されることを示すために、新たなパラメータ、すなわち、省電力用の監視スロット周期およびオフセット（ｍｏｎｉｔｏｒｉｎｇＳｌｏｔＰｅｒｉｏｄｉｃｉｔｙＡｎｄＯｆｆｓｅｔＦｏｒＰｏｗｅｒＳａｖｉｎｇ）が追加され、１つの監視対象スロットにおけるシンボル０、シンボル１、およびシンボル２上で監視が実行されることを示すために、新たなパラメータ、すなわち、省電力用の監視対象スロットにおける監視開始シンボル（ｍｏｎｉｔｏｒｉｎｇＳｙｍｂｏｌｓＷｉｔｈｉｎＳｌｏｔ  ＦｏｒＰｏｗｅｒＳａｖｉｎｇ）および省電力用の監視対象スロットにおける監視持続時間（ｄｕｒａｔｉｏｎＦｏｒＰｏｗｅｒＳａｖｉｎｇ）が追加される。表２には、監視されるＰＤＣＣＨの集約レベルと、当該集約レベルで監視する必要があるＰＤＣＣＨ候補位置の数（ｎｒｏｆＣａｎｄｉｄａｔｅｓ）とが示されている。
表２
集約レベル１  ４
集約レベル２  ４
集約レベル４  ３
集約レベル８  ２
集約レベル１６  １
【００９６】
表１からは、監視対象スロットにおいて、ブラインド検出の最大回数が８＋８＋６＋４＋２＝２８であることが分かる。第１監視パラメータからは、１０スロット（５つの監視周期）において、端末のブラインド検出の最大回数が２８×５＝１４０であることが分かる。表２からは、監視対象スロットにおいて、ブラインド検出の最大回数が４＋４＋３＋２＋１＝１４であることが分かる。第２監視パラメータからは、１０スロット（１つの監視周期）において、端末のブラインド検出の最大回数が１０であることが分かる。従って、端末が第２監視パラメータを使用する場合は、ＰＤＣＣＨの監視に必要な時間がより短くなり、それにより、端末の消費電力が削減される。
【００９７】
ネットワークデバイスは、新たなパラメータ（ｕｓａｇｅ）を更に追加することができる。パラメータの値は、ｎｏｒｍａｌまたはｐｏｗｅｒＳａｖｉｎｇを示すことができる。すなわち、パラメータは、端末が第１監視パラメータを使用するのか、第２監視パラメータを使用するのかを示すために使用される。パラメータはデフォルトであってもよい。パラメータがデフォルトである場合は、端末は、デフォルト値、すなわち、ｎｏｒｍａｌを使用する。
【００９８】
次に、ネットワークデバイスが、端末により監視されるＰＤＣＣＨの変更を決定した場合は、ネットワークデバイスは、ＤＣＩ、ＭＡＣ  ＣＥ、またはＲＲＣシグナリングを使用することにより、前述のパラメータ（ｕｓａｇｅ）を含む指示情報を端末に送信することができる。
［実施形態３］
【００９９】
端末は、２つの動作モード、すなわち正常な動作モード（ｎｏｒｍａｌ  ｍｏｄｅ）および省電力モード（ｐｏｗｅｒ  ｓａｖｉｎｇ  ｍｏｄｅ）を有し得る。各探索空間は、１つの動作モードに対応する。例えば、探索空間１および監視パラメータ１は、中間クラスの動作モードに対応し、探索空間２および監視パラメータ２は、省電力の動作モードに対応する。ネットワークデバイスにより端末に送信される、探索空間および監視パラメータの情報は、実施形態１および２のものと同様である。詳細についてはここで改めて説明しない。
【０１００】
ネットワークデバイスは、ＤＣＩ、ＭＡＣ  ＣＥ、またはＲＲＣシグナリングを端末に送信することができる。シグナリングは、動作モードパラメータ（ｍｏｄｅ）を含む。パラメータの値は、正常な動作モードまたは省電力の動作モードを示して、端末の動作モードを示すことができる。
【０１０１】
この実施形態では、ネットワークデバイスにより示される、端末の動作モードは、単に端末がＰＤＣＣＨを監視するための探索空間および監視パラメータを示すために使用されるのではなく、端末の動作帯域幅の値およびアクティブ化されたキャリアの数などを示すために更に使用され得る。
［実施形態４］
【０１０２】
ネットワークデバイスは、ＤＲＸが端末用に構成されないときに端末がＰＤＣＣＨを監視するために使用する端末用の探索空間および監視パラメータのグループを構成することができる。ネットワークデバイスは、ＤＲＸが端末用に構成されるときに端末がＰＤＣＣＨを監視するために使用する端末用の探索空間および監視パラメータの別のグループを更に構成することができる。
【０１０３】
ネットワークデバイスは、ＤＣＩ、ＭＡＣ  ＣＥ、またはＲＲＣシグナリングなどのシグナリングを端末に送信することができる。シグナリングは、ＤＲＸが端末用に構成されるかどうかを示すパラメータを含み得る。更に、シグナリングは、ＤＲＸ構成パラメータ、例えば、ＤＲＸサイクル、またはオン持続時間の持続時間を更に保持することができる。
［実施形態５］
【０１０４】
ネットワークデバイスは、ＤＲＸサイクルが５０ｍｓ未満であるときに端末がＰＤＣＣＨを監視するために使用する端末用の探索空間１および監視パラメータ１を構成することができる。ネットワークデバイスは、ＤＲＸサイクルが５０ｍｓより長いか等しいときに端末がＰＤＣＣＨを監視するために使用する端末用の探索空間２および監視パラメータ２を更に構成することができる。ネットワークデバイスにより端末に送信される、探索空間および監視パラメータの情報は、実施形態１および２のものと同様である。詳細についてはここで改めて説明しない。
【０１０５】
ネットワークデバイスは、ＤＣＩ、ＭＡＣ  ＣＥ、またはＲＲＣシグナリングなどのシグナリングを端末に送信することができる。シグナリングは、端末用に構成されるＤＲＸパラメータを含み得る。ＤＲＸパラメータは、ＤＲＸサイクルなどを含む。端末およびネットワークデバイスは、ＤＲＸパラメータに基づいて、探索空間および監視パラメータの第１グループ、または、探索空間および監視パラメータの第２グループの使用を決定することができる。
［実施形態６］
【０１０６】
ネットワークデバイスは、端末用に探索空間１および監視パラメータ１を構成することができる。監視パラメータ１は、端末により実行される監視用のＤＣＩのフォーマットがＤＣＩ−ｆｏｒｍａｔ０−０−ＡｎｄＦｏｒｍａｔ１−０、ＤＣＩ−ｆｏｒｍａｔ２−０、ＤＣＩ−ｆｏｒｍａｔ２−１、ＤＣＩ−ｆｏｒｍａｔ２−２、またはＤＣＩ−ｆｏｒｍａｔ２−３であることを示す、ＤＣＩフォーマットパラメータを含む。ネットワークデバイスは、端末用に探索空間２および監視パラメータ２を更に構成することができる。監視パラメータ２も、端末により実行される監視用のＤＣＩのフォーマットがＤＣＩ−ｆｏｒｍａｔ０−０−ＡｎｄＦｏｒｍａｔ１−０またはＤＣＩ−ｆｏｒｍａｔ２−０であることを示す、ＤＣＩフォーマットパラメータを含む。
【０１０７】
前述のＤＣＩフォーマットは単に例に過ぎない。ネットワークデバイスにより示される、端末により実行される監視用のＤＣＩのフォーマットは、５ＧシステムにおけるＤＣＩフォーマット、ＬＴＥシステムにおけるＤＣＩフォーマット、または別の将来のＤＣＩフォーマットであってよい。例えば、幾つかの将来のＤＣＩフォーマットは、端末が一定期間にわたって非アクティブであるかどうか、および、端末が非アクティブ状態からウェイクアップするのにかかる時間などを更に示すことができる。
【０１０８】
ネットワークデバイスにより端末に送信される、探索空間および監視パラメータの情報は、実施形態１および２のものと同様である。詳細についてはここで改めて説明しない。
【０１０９】
前述の特定の実施形態で追加された探索空間リストの名称、探索空間インデックスの名称、パラメータの名称、およびＤＣＩフォーマットの名称などは全て例であり、本願のこの実施形態を制限するものではないことを理解されたい。
【０１１０】
同じ技術的概念に基づいて、本願のある実施形態は、前述した方法の実施形態における端末の機能を実装するための端末を更に提供する。図７に示すように、端末は、受信ユニット７０１および処理ユニット７０２を含み得る。
【０１１１】
受信ユニット７０１は、ネットワークデバイスにより送信される第１情報を受信するように構成される。第１情報は、第１探索空間、第２探索空間、第１監視パラメータ、および第２監視パラメータを示すために使用される。第１監視パラメータは、端末が第１探索空間でＰＤＣＣＨを監視するための監視パラメータである。第２監視パラメータは、端末が第２探索空間でＰＤＣＣＨを監視するための監視パラメータである。第１探索空間は第２探索空間とは異なる。代替的に、第１探索空間は第２探索空間と同じであるが、第１監視パラメータは第２監視パラメータとは異なる。
【０１１２】
処理ユニット７０２は、第１監視パラメータに基づいて第１探索空間でＰＤＣＣＨを監視するか、または、端末により第２監視パラメータに基づいて第２探索空間でＰＤＣＣＨを監視するように構成される。
【０１１３】
考えられる実装では、受信ユニット７０１は、ネットワークデバイスにより送信される第２情報を受信するように更に構成される。
【０１１４】
第２情報は、第１監視パラメータに基づいて第１探索空間でＰＤＣＣＨを監視するように端末に命令するために使用される、または、第２情報は、第２監視パラメータに基づいて第２探索空間でＰＤＣＣＨを監視するように端末に命令するために使用される。
【０１１５】
考えられる実装では、第２情報は、ＤＣＩ、ＭＡＣ  ＣＥ、またはＲＲＣシグナリングを使用することにより端末に送信される。
【０１１６】
考えられる実装では、処理ユニット７０２は、端末が第１動作モードにあるとき、第１監視パラメータに基づいて第１探索空間でＰＤＣＣＨを監視するか、または、端末が第２動作モードにあるとき、第２監視パラメータに基づいて第２探索空間でＰＤＣＣＨを監視するように特に構成される。
【０１１７】
考えられる実装では、受信ユニット７０１は、ネットワークデバイスにより送信される第３情報を受信するように更に構成される。第３情報は、端末の動作モードを示すために使用される。
【０１１８】
考えられる実装では、第３情報は、ＤＣＩ、ＭＡＣ  ＣＥ、またはＲＲＣシグナリングを使用することにより端末に送信される。
【０１１９】
考えられる実装では、処理ユニット７０２は、ＤＲＸが端末用に構成されるとき、第１監視パラメータに基づいて第１探索空間でＰＤＣＣＨを監視するか、または、ＤＲＸが端末用に構成されないとき、第２監視パラメータに基づいて第２探索空間でＰＤＣＣＨを監視するように特に構成される。
【０１２０】
考えられる実装では、処理ユニット７０２は、第１ＤＲＸパラメータが端末用に構成されるとき、第１監視パラメータに基づいて第１探索空間でＰＤＣＣＨを監視するか、または、第２ＤＲＸパラメータが端末用に構成されるとき、第２監視パラメータに基づいて第２探索空間でＰＤＣＣＨを監視するように特に構成される。
【０１２１】
考えられる実装では、監視パラメータは、監視されるＤＣＩのフォーマット、監視周期、監視スロット、監視対象スロットにおける監視持続時間、監視対象スロットにおける監視開始シンボル、監視されるＰＤＣＣＨの集約レベル、および当該集約レベルで監視する必要があるＰＤＣＣＨ候補位置の数といったパラメータのうち１または複数を含む。
【０１２２】
考えられる実装では、端末は、端末の動作モードを示すために使用される指示情報を送信するように構成される送信ユニット７０３を更に含み得る。
【０１２３】
同じ技術的概念に基づいて、本願のある実施形態は、前述した方法の実施形態におけるネットワークデバイスの機能を実装するためのネットワークデバイスを更に提供する。図８に示すように、ネットワークデバイスは、送信ユニット８０１および処理ユニット８０２を含み得る。
【０１２４】
送信ユニット８０１は、第１情報を端末に送信するように構成される。第１情報は、第１探索空間、第２探索空間、第１監視パラメータ、および第２監視パラメータを示すために使用される。第１監視パラメータは、端末が第１探索空間でＰＤＣＣＨを監視するための監視パラメータである。第２監視パラメータは、端末が第２探索空間でＰＤＣＣＨを監視するための監視パラメータである。第１探索空間は第２探索空間とは異なる。代替的に、第１探索空間は第２探索空間と同じであるが、第１監視パラメータは第２監視パラメータとは異なる。
【０１２５】
処理ユニット８０２は、送信ユニット８０１を使用して、第１監視パラメータに基づいて第１探索空間でＰＤＣＣＨを送信するか、または、第２監視パラメータに基づいて第２探索空間でＰＤＣＣＨを送信するように構成される。
【０１２６】
考えられる実装では、送信ユニット８０１は、第２情報を端末に送信するように更に構成される。第２情報は、第１監視パラメータに基づいて第１探索空間でＰＤＣＣＨを監視するように端末に命令するために使用される、または、第２情報は、第２監視パラメータに基づいて第２探索空間でＰＤＣＣＨを監視するように端末に命令するために使用される。
【０１２７】
考えられる実装では、第２情報は、ＤＣＩ、ＭＡＣ  ＣＥ、またはＲＲＣシグナリングを使用することにより端末に送信される。
【０１２８】
考えられる実装では、処理ユニット８０２は、端末が第１動作モードにあると判断されるとき、送信ユニット８０１を使用することにより第１監視パラメータに基づいて第１探索空間でＰＤＣＣＨを送信するか、または、端末が第２動作モードにあると判断されるとき、送信ユニット８０１を使用することにより第２監視パラメータに基づいて第２探索空間でＰＤＣＣＨを送信するように特に構成される。
【０１２９】
考えられる実装では、送信ユニット８０１は、第３情報を端末に送信するように更に構成される。第３情報は、端末の動作モードを示すために使用される。
【０１３０】
考えられる実装では、第３情報は、ＤＣＩ、ＭＡＣ  ＣＥ、またはＲＲＣシグナリングを使用することにより端末に送信される。
【０１３１】
考えられる実装では、処理ユニット８０２は、間欠受信ＤＲＸが端末用に構成されると判断されるとき、送信ユニット８０１を使用することにより第１監視パラメータに基づいて第１探索空間でＰＤＣＣＨを送信するか、または、ＤＲＸが端末用に構成されないと判断されるとき、送信ユニット８０１を使用することにより第２監視パラメータに基づいて第２探索空間でＰＤＣＣＨを送信するように特に構成される。
【０１３２】
考えられる実装では、処理ユニット８０２は、第１ＤＲＸパラメータが端末用に構成されると判断されるとき、送信ユニット８０１を使用することにより第１監視パラメータに基づいて第１探索空間でＰＤＣＣＨを送信するか、または、第２ＤＲＸパラメータが端末用に構成されると判断されるとき、送信ユニット８０１を使用することにより第２監視パラメータに基づいて第２探索空間でＰＤＣＣＨを送信するように特に構成される。
【０１３３】
考えられる実装では、監視パラメータは、監視されるＤＣＩのフォーマット、監視周期、監視スロット、監視対象周期における監視持続時間、監視対象スロットにおける監視開始シンボル、監視されるＰＤＣＣＨの集約レベル、および当該集約レベルで監視する必要があるＰＤＣＣＨ候補位置の数といったパラメータのうち１または複数を含む。
【０１３４】
考えられる実装では、ネットワークデバイスは、端末の動作モードを示すために使用され、かつ、端末により送信される、指示情報を受信するように構成される受信ユニット８０３を更に含み得る。
【０１３５】
なお、前述のユニットの区分は、単に論理的な機能区分に過ぎない。実際の実装では、これらのユニットの全てまたは幾つかが１つの物理エンティティになるよう統合されてもよいし、物理的に別個のものであってもよい。更に、これらのユニットは、全てが処理要素を使用することにより呼び出されるソフトウェアの形式で実装されてもよいし、全てがハードウェアの形式で実装されてもよい、または、幾つかのユニットが、処理要素を使用することにより呼び出されるソフトウェアの形式で実装されてよく、幾つかのユニットがハードウェアの形式で実装される。例えば、受信ユニットおよび送信ユニットは、別個に配置されてもよいし、送受信ユニットになるよう組み合わされてもよい。更に、送受信ユニットおよび処理ユニットは、統合されてもよいし、別個に実装されてもよい。処理要素は集積回路であってよく、信号処理能力を有する。ある実装プロセスでは、前述の方法における段階または前述のユニットが、処理要素内のハードウェア集積論理回路を使用することにより、または、ソフトウェアの形式の命令を使用することにより実装され得る。更に、前述の送信ユニットは、送信を制御するためのユニットであり、アンテナおよび無線周波数装置などの送信装置を使用することにより情報を送信することができる。同様に、受信ユニットは、代替的に、アンテナおよび無線周波数装置などの受信装置を使用することにより情報を受信することができる。
【０１３６】
前述のユニットは、前述の方法を実装するための１または複数の集積回路、例えば、１または複数の特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、１または複数のマイクロプロセッサ、または、１または複数のフィールドプログラマブルゲートアレイ（ｆｉｅｌｄ  ｐｒｏｇｒａｍｍａｂｌｅ  ｇａｔｅ  ａｒｒａｙ、ＦＰＧＡ）として構成され得る。別の例として、前述のユニットのうちあるユニットが、処理要素がプログラムをスケジューリングすることにより実装されるとき、処理要素は、汎用プロセッサ、例えば、中央処理装置（ｃｅｎｔｒａｌ  ｐｒｏｃｅｓｓｉｎｇ  ｕｎｉｔ、ＣＰＵ）、または、プログラムを呼び出すことができる別のプロセッサであってよい。別の例として、これらのユニットは、一緒に統合されてよく、システムオンチップ（ｓｙｓｔｅｍ−ｏｎ−ａ−ｃｈｉｐ、ＳＯＣ）の形式で実装される。
【０１３７】
同じ技術的概念に基づいて、本願のある実施形態は、前述した方法の実施形態における端末の機能を実装するための端末を更に提供する。図９に示すように、端末９００は、プロセッサ９０１、メモリ９０２、および通信インタフェース９０３を含み得る。更に、端末９００は、通信バス９０４を更に含み得る。
【０１３８】
具体的には、プロセッサ９０１は、汎用ＣＰＵ、マイクロプロセッサ、ＡＳＩＣ、または、本願の解決策におけるプログラムの実行を制御するように構成される１または複数の集積回路であってよい。
【０１３９】
通信バス９０４は、前述の構成要素間で情報を伝送するための経路を含み得る。
【０１４０】
通信インタフェース９０３は、送受信器などの任意の装置を使用し、イーサネット（登録商標）、無線アクセスネットワーク（ｒａｄｉｏ  ａｃｃｅｓｓ  ｎｅｔｗｏｒｋ、ＲＡＮ）、または無線ローカルエリアネットワーク（ｗｉｒｅｌｅｓｓ  ｌｏｃａｌ  ａｒｅａ  ｎｅｔｗｏｒｋｓ、ＷＬＡＮ）などの通信ネットワークまたは別のデバイスと通信するように構成される。
【０１４１】
メモリ９０２は、リードオンリメモリ（ｒｅａｄ−ｏｎｌｙ  ｍｅｍｏｒｙ、ＲＯＭ）、静的情報および命令を記憶できる別のタイプの静的記憶デバイス、ランダムアクセスメモリ（ｒａｎｄｏｍ  ａｃｃｅｓｓ  ｍｅｍｏｒｙ、ＲＡＭ）、または、情報および命令を記憶できる別のタイプの動的記憶デバイスであってもよいし、電気的消去可能プログラマブルリードオンリメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ、ＣＤ−ＲＯＭ）、または、別のコンパクトディスクストレージもしくは光ディスクストレージ（コンパクトディスク、レーザディスク、光ディスク、デジタル多用途ディスク、およびブルーレイディスクなどを含む）、磁気ディスク記憶媒体、別の磁気記憶デバイス、または、所望のプログラムコードを命令またはデータ構造の形式で保持または記憶するために使用され得る、コンピュータにアクセス可能な任意の他の媒体であってもよい。ただし、メモリ９０２はそれに限定されない。メモリ９０２は、独立して存在することができ、バスを使用することによりプロセッサ９０１に接続される。代替的に、メモリ９０２は、プロセッサ９０１と統合され得る。
【０１４２】
メモリ９０２は、本願の解決策を実行するために使用されるアプリケーションプログラムコードを記憶するように構成され、プロセッサ９０１はその実行を制御する。プロセッサ９０１は、メモリ９０２に記憶されるアプリケーションプログラムコードを実行して、前述した本願の実施形態における通信方法を実装するように構成される。
【０１４３】
代替的に、オプションで、本願のこの実施形態では、プロセッサ９０１は、前述した本願の実施形態において提供する通信方法で関連する機能を実装することができる。通信インタフェース９０３は、別のデバイスまたは通信ネットワークとの通信を担う。これについては、本願のこの実施形態では特に限定されない。
【０１４４】
特定の実装において、ある実施形態では、プロセッサ９０１は、１または複数のＣＰＵを含み得る。
【０１４５】
特定の実装において、ある実施形態では、端末は複数のプロセッサを含み得る。これらのプロセッサの各々は、シングルコア（ｓｉｎｇｌｅ−ＣＰＵ）プロセッサであってもよいし、マルチコア（ｍｕｌｔｉ−ＣＰＵ）プロセッサであってもよい。本明細書のプロセッサは、１または複数のデバイス、回路、および／または、データ（コンピュータプログラム命令など）を処理するための処理コアであってよい。
【０１４６】
具体的には、プロセッサ９０１は、メモリ９０２に記憶されるプログラムを呼び出して、以下の段階を実行することができる。
【０１４７】
通信インタフェース９０３を使用することにより、ネットワークデバイスにより送信される第１情報を受信する。第１情報は、第１探索空間、第２探索空間、第１監視パラメータ、および第２監視パラメータを示すために使用される。第１監視パラメータは、端末が第１探索空間で物理ダウンリンク制御チャネルＰＤＣＣＨを監視するための監視パラメータである。第２監視パラメータは、端末が第２探索空間でＰＤＣＣＨを監視するための監視パラメータである。第１探索空間は第２探索空間とは異なる。代替的に、第１探索空間は第２探索空間と同じであるが、第１監視パラメータは第２監視パラメータとは異なる。
【０１４８】
通信インタフェース９０３を使用して、第１監視パラメータに基づいて第１探索空間でＰＤＣＣＨを監視するか、または、端末により第２監視パラメータに基づいて第２探索空間でＰＤＣＣＨを監視する。
【０１４９】
考えられる実装では、プロセッサ９０１は、通信インタフェース９０３を使用することにより、ネットワークデバイスにより送信される第２情報を受信するように更に構成される。第２情報は、第１監視パラメータに基づいて第１探索空間でＰＤＣＣＨを監視するように端末に命令するために使用される、または、第２情報は、第２監視パラメータに基づいて第２探索空間でＰＤＣＣＨを監視するように端末に命令するために使用される。
【０１５０】
考えられる実装では、第２情報は、ダウンリンク制御情報ＤＣＩ、媒体アクセス制御・制御要素ＭＡＣ  ＣＥ、または無線リソース制御ＲＲＣシグナリングを使用することにより端末に送信される。
【０１５１】
考えられる実装では、プロセッサ９０１は、端末が第１動作モードにあるとき、通信インタフェース９０３を使用することにより第１監視パラメータに基づいて第１探索空間でＰＤＣＣＨを監視するか、または、端末が第２動作モードにあるとき、通信インタフェース９０３を使用することにより第２監視パラメータに基づいて第２探索空間でＰＤＣＣＨを監視するように特に構成される。
【０１５２】
考えられる実装では、プロセッサ９０１は、通信インタフェース９０３を使用することにより、ネットワークデバイスにより送信される第３情報を受信するように更に構成される。第３情報は、端末の動作モードを示すために使用される。
【０１５３】
考えられる実装では、第３情報は、ＤＣＩ、ＭＡＣ  ＣＥ、またはＲＲＣシグナリングを使用することにより端末に送信される。
【０１５４】
考えられる実装では、プロセッサ９０１は、間欠受信ＤＲＸが端末用に構成されるとき、通信インタフェース９０３を使用することにより第１監視パラメータに基づいて第１探索空間でＰＤＣＣＨを監視するか、または、ＤＲＸが端末用に構成されないとき、通信インタフェース９０３を使用することにより第２監視パラメータに基づいて第２探索空間でＰＤＣＣＨを監視するように特に構成される。
【０１５５】
考えられる実装では、プロセッサ９０１は、第１ＤＲＸパラメータが端末用に構成されるとき、通信インタフェース９０３を使用することにより第１監視パラメータに基づいて第１探索空間でＰＤＣＣＨを監視するか、または、第２ＤＲＸパラメータが端末用に構成されるとき、通信インタフェース９０３を使用することにより第２監視パラメータに基づいて第２探索空間でＰＤＣＣＨを監視するように特に構成される。
【０１５６】
考えられる実装では、監視パラメータは、監視されるＤＣＩのフォーマット、監視周期、監視スロット、監視対象スロットにおける監視持続時間、監視対象スロットにおける監視開始シンボル、監視されるＰＤＣＣＨの集約レベル、および当該集約レベルで監視する必要があるＰＤＣＣＨ候補位置の数といったパラメータのうち１または複数を含む。
【０１５７】
同じ技術的概念に基づいて、本願のある実施形態は、前述した方法の実施形態における端末の機能を実装するためのネットワークデバイスを更に提供する。図１０に示すように、端末１０００は、プロセッサ１００１、メモリ１００２、および通信インタフェース１００３を含み得る。更に、端末１０００は、通信バス１００４を更に含み得る。
【０１５８】
具体的には、プロセッサ１００１は、汎用ＣＰＵ、マイクロプロセッサ、ＡＳＩＣ、または、本願の解決策におけるプログラムの実行を制御するように構成される１または複数の集積回路であってよい。
【０１５９】
通信バス１００４は、前述の構成要素間で情報を伝送するための経路を含み得る。
【０１６０】
通信インタフェース１００３は、送受信器などの任意の装置を使用し、イーサネット、無線アクセスネットワーク（ｒａｄｉｏ  ａｃｃｅｓｓ  ｎｅｔｗｏｒｋ、ＲＡＮ）、または無線ローカルエリアネットワーク（ｗｉｒｅｌｅｓｓ  ｌｏｃａｌ  ａｒｅａ  ｎｅｔｗｏｒｋｓ、ＷＬＡＮ）などの通信ネットワークまたは別のデバイスと通信するように構成される。
【０１６１】
メモリ１００２は、リードオンリメモリ（ｒｅａｄ−ｏｎｌｙ  ｍｅｍｏｒｙ、ＲＯＭ）、静的情報および命令を記憶できる別のタイプの静的記憶デバイス、ランダムアクセスメモリ（ｒａｎｄｏｍ  ａｃｃｅｓｓ  ｍｅｍｏｒｙ、ＲＡＭ）、または、情報および命令を記憶できる別のタイプの動的記憶デバイスであってもよいし、電気的消去可能プログラマブルリードオンリメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ、ＣＤ−ＲＯＭ）、または、別のコンパクトディスクストレージもしくは光ディスクストレージ（コンパクトディスク、レーザディスク、光ディスク、デジタル多用途ディスク、およびブルーレイディスクなどを含む）、磁気ディスク記憶媒体、別の磁気記憶デバイス、または、所望のプログラムコードを命令またはデータ構造の形式で保持または記憶するために使用され得る、コンピュータにアクセス可能な任意の他の媒体であってもよい。ただし、メモリ１００２はそれに限定されない。メモリ１００２は、独立して存在することができ、バスを使用することによりプロセッサ１００１に接続される。代替的に、メモリ１００２は、プロセッサ１００１と統合され得る。
【０１６２】
メモリ１００２は、本願の解決策を実行するために使用されるアプリケーションプログラムコードを記憶するように構成され、プロセッサ１００１はその実行を制御する。プロセッサ１００１は、メモリ１００２に記憶されるアプリケーションプログラムコードを実行して、前述した本願の実施形態における通信方法を実装するように構成される。
【０１６３】
代替的に、オプションで、本願のこの実施形態では、プロセッサ１００１は、前述した本願の実施形態において提供する通信方法で関連する機能を実装することができる。通信インタフェース１００３は、別のデバイスまたは通信ネットワークとの通信を担う。これについては、本願のこの実施形態では特に限定されない。
【０１６４】
特定の実装において、ある実施形態では、プロセッサ１００１は、１または複数のＣＰＵを含み得る。
【０１６５】
特定の実装において、ある実施形態では、ネットワークデバイスは複数のプロセッサを含み得る。これらのプロセッサの各々は、シングルコア（ｓｉｎｇｌｅ−ＣＰＵ）プロセッサであってもよいし、マルチコア（ｍｕｌｔｉ−ＣＰＵ）プロセッサであってもよい。本明細書のプロセッサは、１または複数のデバイス、回路、および／または、データ（コンピュータプログラム命令など）を処理するための処理コアであってよい。
【０１６６】
具体的には、プロセッサ１００１は、メモリ１００２に記憶されるプログラムを呼び出して、以下の段階を実行することができる。
【０１６７】
通信インタフェース１００３を使用することにより、第１情報を端末に送信する。第１情報は、第１探索空間、第２探索空間、第１監視パラメータ、および第２監視パラメータを示すために使用される。第１監視パラメータは、端末が第１探索空間で物理ダウンリンク制御チャネルＰＤＣＣＨを監視するための監視パラメータである。第２監視パラメータは、端末が第２探索空間でＰＤＣＣＨを監視するための監視パラメータである。第１探索空間は第２探索空間とは異なる。代替的に、第１探索空間は第２探索空間と同じであるが、第１監視パラメータは第２監視パラメータとは異なる。
【０１６８】
通信インタフェース１００３を使用して、第１監視パラメータに基づいて第１探索空間でＰＤＣＣＨを送信するか、または、第２監視パラメータに基づいて第２探索空間でＰＤＣＣＨを送信する。
【０１６９】
考えられる実装では、プロセッサ１００１は、通信インタフェース１００３を使用することにより第２情報を端末に送信するように更に構成される。
【０１７０】
第２情報は、第１監視パラメータに基づいて第１探索空間でＰＤＣＣＨを監視するように端末に命令するために使用される、または、第２情報は、第２監視パラメータに基づいて第２探索空間でＰＤＣＣＨを監視するように端末に命令するために使用される。
【０１７１】
考えられる実装では、第２情報は、ダウンリンク制御情報ＤＣＩ、媒体アクセス制御・制御要素ＭＡＣ  ＣＥ、または無線リソース制御ＲＲＣシグナリングを使用することにより端末に送信される。
【０１７２】
考えられる実装では、プロセッサ１００１は、端末が第１動作モードにあると判断されるとき、通信インタフェース１００３を使用することにより第１監視パラメータに基づいて第１探索空間でＰＤＣＣＨを送信するか、または、端末が第２動作モードにあると判断されるとき、通信インタフェース１００３を使用することにより第２監視パラメータに基づいて第２探索空間でＰＤＣＣＨを送信するように特に構成される。
【０１７３】
考えられる実装では、プロセッサ１００１は、通信インタフェース１００３を使用することにより第３情報を端末に送信するように更に構成される。第３情報は、端末の動作モードを示すために使用される。
【０１７４】
考えられる実装では、第３情報は、ＤＣＩ、ＭＡＣ  ＣＥ、またはＲＲＣシグナリングを使用することにより端末に送信される。
【０１７５】
考えられる実装では、プロセッサ１００１は、間欠受信ＤＲＸが端末用に構成されると判断されるとき、通信インタフェース１００３を使用することにより第１監視パラメータに基づいて第１探索空間でＰＤＣＣＨを送信するか、または、ＤＲＸが端末用に構成されないと判断されるとき、通信インタフェース１００３を使用することにより第２監視パラメータに基づいて第２探索空間でＰＤＣＣＨを送信するように特に構成される。
【０１７６】
考えられる実装では、プロセッサ１００１は、第１ＤＲＸパラメータが端末用に構成されると判断されるとき、通信インタフェース１００３を使用することにより第１監視パラメータに基づいて第１探索空間でＰＤＣＣＨを送信するか、または、第２ＤＲＸパラメータが端末用に構成されると判断されるとき、通信インタフェース１００３を使用することにより第２監視パラメータに基づいて第２探索空間でＰＤＣＣＨを送信するように特に構成される。
【０１７７】
考えられる実装では、監視パラメータは、監視されるＤＣＩのフォーマット、監視周期、監視スロット、監視対象周期における監視持続時間、監視対象スロットにおける監視開始シンボル、監視されるＰＤＣＣＨの集約レベル、および当該集約レベルで監視する必要があるＰＤＣＣＨ候補位置の数といったパラメータのうち１または複数を含む。
【０１７８】
同じ技術的概念に基づいて、本願のある実施形態は、前述の端末と前述のネットワークデバイスとを含む通信システムを更に提供する。
【０１７９】
本願のある実施形態は、コンピュータ可読記憶媒体を提供する。コンピュータ可読記憶媒体は、コンピュータ命令を記憶する。命令がコンピュータ上で実行されると、コンピュータは、前述した方法の実施形態で端末により実装される機能を実装できるようになっている。
【０１８０】
本願のある実施形態は、コンピュータ可読記憶媒体を提供する。コンピュータ可読記憶媒体は、コンピュータ命令を記憶する。命令がコンピュータ上で実行されると、コンピュータは、前述した方法の実施形態でネットワークデバイスにより実装される機能を実装できるようになっている。
【０１８１】
本願のある実施形態は、命令を含むコンピュータプログラム製品を提供する。コンピュータプログラム製品がコンピュータ上で実行されると、コンピュータは、前述した方法の実施形態で端末により実装される機能を実装できるようになっている。
【０１８２】
本願のある実施形態は、命令を含むコンピュータプログラム製品を提供する。コンピュータプログラム製品がコンピュータ上で実行されると、コンピュータは、前述した方法の実施形態でネットワークデバイスにより実装される機能を実装できるようになっている。
【０１８３】
本願のある実施形態は、チップを提供する。チップはメモリに接続され、メモリに記憶されるソフトウェアプログラムを読み取り、実行して、前述した方法の実施形態で端末により実装される機能を実装するように構成される。
【０１８４】
本願のある実施形態は、チップを提供する。チップはメモリに接続され、メモリに記憶されるソフトウェアプログラムを読み取り、実行して、前述した方法の実施形態でネットワークデバイスにより実装される機能を実装するように構成される。
【０１８５】
言うまでもなく、当業者であれば、本願の趣旨および範囲から逸脱することなく、本願に対する様々な修正および変更を行うことができる。本願は、本願のこれらの修正および変更を、それらが以下の特許請求の範囲およびその均等な技術により定義される保護範囲に含まれる限り包含することを意図する。
【０１８６】
［他の考えられる項目］
［項目１］
通信方法であって、
端末が、ネットワークデバイスにより送信される第１情報を受信する段階であって、上記第１情報は、第１探索空間、第２探索空間、第１監視パラメータ、および第２監視パラメータを示すために使用され、上記第１監視パラメータは、上記端末が上記第１探索空間で物理ダウンリンク制御チャネルＰＤＣＣＨを監視するための監視パラメータであり、上記第２監視パラメータは、上記端末が上記第２探索空間でＰＤＣＣＨを監視するための監視パラメータであり、上記第１探索空間は上記第２探索空間とは異なるか、または、上記第１探索空間は上記第２探索空間と同じであるが、上記第１監視パラメータは上記第２監視パラメータとは異なる、段階と、
上記端末が、上記第１監視パラメータに基づいて上記第１探索空間で上記ＰＤＣＣＨを監視するか、または、上記端末が、上記第２監視パラメータに基づいて上記第２探索空間で上記ＰＤＣＣＨを監視する段階と
を備える方法。
［項目２］
上記端末が、上記ネットワークデバイスにより送信される第２情報を受信する段階
を更に備え、
上記第２情報は、上記第１監視パラメータに基づいて上記第１探索空間で上記ＰＤＣＣＨを監視するように上記端末に命令するために使用される、または、
上記第２情報は、上記第２監視パラメータに基づいて上記第２探索空間で上記ＰＤＣＣＨを監視するように上記端末に命令するために使用される、
項目１に記載の方法。
［項目３］
上記第２情報は、ダウンリンク制御情報ＤＣＩ、媒体アクセス制御・制御要素ＭＡＣ  ＣＥ、または無線リソース制御ＲＲＣシグナリングを使用することにより上記端末に送信される、項目２に記載の方法。
［項目４］
上記端末が、上記第１監視パラメータに基づいて上記第１探索空間で上記ＰＤＣＣＨを監視するか、または、上記端末が、上記第２監視パラメータに基づいて上記第２探索空間で上記ＰＤＣＣＨを監視する上記段階は、
上記端末が第１動作モードにあるとき、上記第１監視パラメータに基づいて上記第１探索空間で上記ＰＤＣＣＨを監視する段階、または、
上記端末が第２動作モードにあるとき、上記第２監視パラメータに基づいて上記第２探索空間で上記ＰＤＣＣＨを監視する段階
を有する、項目１に記載の方法。
［項目５］
上記端末が、上記ネットワークデバイスにより送信される第３情報を受信する段階であって、上記第３情報は、上記端末の動作モードを示すために使用される、段階
を更に備える項目４に記載の方法。
［項目６］
上記第３情報は、ＤＣＩ、ＭＡＣ  ＣＥ、またはＲＲＣシグナリングを使用することにより上記端末に送信される、項目５に記載の方法。
［項目７］
上記端末が、上記第１監視パラメータに基づいて上記第１探索空間で上記ＰＤＣＣＨを監視するか、または、上記端末が、上記第２監視パラメータに基づいて上記第２探索空間で上記ＰＤＣＣＨを監視する上記段階は、
間欠受信ＤＲＸが上記端末用に構成されるとき、上記第１監視パラメータに基づいて上記第１探索空間で上記ＰＤＣＣＨを監視する段階、または、
ＤＲＸが上記端末用に構成されないとき、上記第２監視パラメータに基づいて上記第２探索空間で上記ＰＤＣＣＨを監視する段階
を有する、項目１に記載の方法。
［項目８］
上記端末が、上記第１監視パラメータに基づいて上記第１探索空間で上記ＰＤＣＣＨを監視するか、または、上記端末が、上記第２監視パラメータに基づいて上記第２探索空間で上記ＰＤＣＣＨを監視する上記段階は、
第１ＤＲＸパラメータが上記端末用に構成されるとき、上記第１監視パラメータに基づいて上記第１探索空間で上記ＰＤＣＣＨを監視する段階、または、
第２ＤＲＸパラメータが上記端末用に構成されるとき、上記第２監視パラメータに基づいて上記第２探索空間で上記ＰＤＣＣＨを監視する段階
を有する、項目１に記載の方法。
［項目９］
上記監視パラメータは、
監視されるＤＣＩのフォーマット、
監視周期、
監視スロット、
監視対象スロットにおける監視持続時間、
監視対象スロットにおける監視開始シンボル、
監視されるＰＤＣＣＨの集約レベル、および上記集約レベルで監視する必要があるＰＤＣＣＨ候補位置の数
といったパラメータのうち１または複数を含む、項目１から８のいずれか一項に記載の方法。
［項目１０］
通信方法であって、
ネットワークデバイスが、第１情報を端末に送信する段階であって、上記第１情報は、第１探索空間、第２探索空間、第１監視パラメータ、および第２監視パラメータを示すために使用され、上記第１監視パラメータは、上記端末が上記第１探索空間で物理ダウンリンク制御チャネルＰＤＣＣＨを監視するための監視パラメータであり、上記第２監視パラメータは、上記端末が上記第２探索空間でＰＤＣＣＨを監視するための監視パラメータであり、上記第１探索空間は上記第２探索空間とは異なるか、または、上記第１探索空間は上記第２探索空間と同じであるが、上記第１監視パラメータは上記第２監視パラメータとは異なる、段階と、
上記ネットワークデバイスが、上記第１監視パラメータに基づいて上記第１探索空間で上記ＰＤＣＣＨを送信するか、または、上記第２監視パラメータに基づいて上記第２探索空間で上記ＰＤＣＣＨを送信する段階と
を備える方法。
［項目１１］
上記ネットワークデバイスが、第２情報を上記端末に送信する段階
を更に備え、
上記第２情報は、上記第１監視パラメータに基づいて上記第１探索空間で上記ＰＤＣＣＨを監視するように上記端末に命令するために使用される、または、
上記第２情報は、上記第２監視パラメータに基づいて上記第２探索空間で上記ＰＤＣＣＨを監視するように上記端末に命令するために使用される、
項目１０に記載の方法。
［項目１２］
上記第２情報は、ダウンリンク制御情報ＤＣＩ、媒体アクセス制御・制御要素ＭＡＣ  ＣＥ、または無線リソース制御ＲＲＣシグナリングを使用することにより上記端末に送信される、項目１１に記載の方法。
［項目１３］
上記ネットワークデバイスが、上記第１監視パラメータに基づいて上記第１探索空間で上記ＰＤＣＣＨを送信するか、または、上記第２監視パラメータに基づいて上記第２探索空間で上記ＰＤＣＣＨを送信する上記段階は、
上記端末が第１動作モードにあると上記ネットワークデバイスが判断すると、上記第１監視パラメータに基づいて上記第１探索空間で上記ＰＤＣＣＨを送信する段階、または、
上記端末が第２動作モードにあると上記ネットワークデバイスが判断すると、上記第２監視パラメータに基づいて上記第２探索空間で上記ＰＤＣＣＨを送信する段階
を有する、項目１０に記載の方法。
［項目１４］
上記ネットワークデバイスが、第３情報を上記端末に送信する段階であって、上記第３情報は、上記端末の動作モードを示すために使用される、段階
を更に備える項目１３に記載の方法。
［項目１５］
上記第３情報は、ＤＣＩ、ＭＡＣ  ＣＥ、またはＲＲＣシグナリングを使用することにより上記端末に送信される、項目１４に記載の方法。
［項目１６］
上記ネットワークデバイスが、上記第１監視パラメータに基づいて上記第１探索空間で上記ＰＤＣＣＨを送信するか、または、上記第２監視パラメータに基づいて上記第２探索空間で上記ＰＤＣＣＨを送信する上記段階は、
間欠受信ＤＲＸが上記端末用に構成されると上記ネットワークデバイスが判断すると、上記第１監視パラメータに基づいて上記第１探索空間で上記ＰＤＣＣＨを送信する段階、または、
ＤＲＸが上記端末用に構成されないと上記ネットワークデバイスが判断すると、上記第２監視パラメータに基づいて上記第２探索空間で上記ＰＤＣＣＨを送信する段階
を有する、項目１０に記載の方法。
［項目１７］
上記ネットワークデバイスが、上記第１監視パラメータに基づいて上記第１探索空間で上記ＰＤＣＣＨを送信するか、または、上記第２監視パラメータに基づいて上記第２探索空間で上記ＰＤＣＣＨを送信する上記段階は、
第１ＤＲＸパラメータが上記端末用に構成されると上記ネットワークデバイスが判断すると、上記第１監視パラメータに基づいて上記第１探索空間で上記ＰＤＣＣＨを送信する段階、または、
第２ＤＲＸパラメータが上記端末用に構成されると上記ネットワークデバイスが判断すると、上記第２監視パラメータに基づいて上記第２探索空間で上記ＰＤＣＣＨを送信する段階
を有する、項目１０に記載の方法。
［項目１８］
上記監視パラメータは、
監視されるＤＣＩのフォーマット、
監視周期、
監視スロット、
監視対象周期における監視持続時間、
監視対象スロットにおける監視開始シンボル、
監視されるＰＤＣＣＨの集約レベル、および上記集約レベルで監視する必要があるＰＤＣＣＨ候補位置の数
といったパラメータのうち１または複数を含む、項目１０から１７のいずれか一項に記載の方法。
［項目１９］
プロセッサと、メモリと、通信インタフェースとを備える端末であって、上記メモリは、プログラムを記憶するように構成され、上記プロセッサは、上記メモリに記憶される上記プログラムを呼び出して、上記通信インタフェースを使用して、項目１から９のいずれか一項に記載の方法を実装する、端末。
［項目２０］
プロセッサと、メモリと、通信インタフェースとを備えるネットワークデバイスであって、上記メモリは、プログラムを記憶するように構成され、上記プロセッサは、上記メモリに記憶される上記プログラムを呼び出して、上記通信インタフェースを使用して、項目１０から１８のいずれか一項に記載の方法を実装する、ネットワークデバイス。
［項目２１］
項目１９に記載の端末と、項目２０に記載のネットワークデバイスとを備える通信システム。
［項目２２］
コンピュータ命令を記憶するコンピュータ可読記憶媒体であって、上記命令がコンピュータ上で実行されると、上記コンピュータは、項目１から１８のいずれか一項に記載の方法を実行できるようになっている、コンピュータ可読記憶媒体。
［項目２３］
命令を備えるコンピュータプログラム製品であって、上記コンピュータプログラム製品がコンピュータ上で実行されると、上記コンピュータは、項目１から１８のいずれか一項に記載の方法を実行できるようになっている、コンピュータプログラム製品。
［項目２４］
メモリに接続されるチップであって、上記メモリに記憶されるソフトウェアプログラムを読み取り、実行して、項目１から１８のいずれか一項に記載の方法を実行するように構成される、チップ。
【図１】
2021533641.tif 000003
【図２】
2021533641.tif 000004
【図３】
2021533641.tif 000005
【図４】
2021533641.tif 000006
【図５】
2021533641.tif 000007
【図６】
2021533641.tif 000008
【図７】
2021533641.tif 000009
【図８】
2021533641.tif 000010
【図９】
2021533641.tif 000011
【図１０】
2021533641.tif 000012
【国際調査報告】
2021533641.tif 000013
2021533641.tif 000014
2021533641.tif 000015
2021533641.tif 000016